(57)【要約】開無線通信ネットワークのためのノードが記載され、当該ノードは、第１の伝送の受信と、当該第１の伝送に応じた、その後の第２の伝送の送信とを含む通信メカニズムのために構成され、当該ノードは更に、第２の伝送を送信するための相対的タイミングを、複数の所定の相対的タイミングの選択肢から選択するための選択プロセスを実行するように構成される。
2019537291.tif 000002
【特許請求の範囲】
【請求項１】
無線通信ネットワーク（1）のためのノード（12; 20; 101; 111）であって、前記ノード（12; 20; 101; 111）は、第１の伝送の受信と、当該第１の伝送に応じた、その後の第２の伝送の送信とを含む通信メカニズムのために構成され、前記ノード（12; 20; 101; 111）は更に、前記第２の伝送を送信するための相対的タイミングを、複数の所定の相対的タイミングの選択肢から選択するための選択プロセス（S31; S42; S72）を実行するように構成される、ノード。
【請求項２】
請求項１に記載のノード（12; 20; 101; 111）であって、前記選択プロセス（S31; S42; S72）は、相対的タイミングと関連付けられた伝送メカニズムを選択することを含む、ノード。
【請求項３】
請求項１又は２に記載のノード（12; 20; 101; 111）であって、前記選択プロセス（S31; S42; S72）は、前記ノード（12; 20; 101; 111）の１つ以上の通信条件と関連付けられた情報を考慮に入れるように構成される、ノード。
【請求項４】
請求項３に記載のノード（12; 20; 101; 111）であって、前記通信条件は、前記通信メカニズムに対して提供される１つ以上の物理レイヤ設定のセットを含む、ノード。
【請求項５】
請求項４に記載のノード（12; 20; 101; 111）であって、前記セットは少なくともヌメロロジーを含む、ノード。
【請求項６】
請求項３から５のいずれか１項に記載のノード（12; 20; 101; 111）であって、前記通信条件は、キャリア周波数を含む、ノード。
【請求項７】
請求項３から６のいずれか１項に記載のノード（12; 20; 101; 111）であって、前記通信条件は、通信品質インジケータを含む、ノード。
【請求項８】
請求項３から７のいずれか１項に記載のノード（12; 20; 101; 111）であって、前記無線通信ネットワーク（1）は、セルラネットワークであり、前記通信条件は、前記ノードが配置されたセルのセル範囲を含む、ノード。
【請求項９】
請求項３から７のいずれか１項に記載のノード（12; 20; 101; 111）であって、１つ以上の通信条件と関連付けられた前記情報は、到着時間、タイミングアドバンス、ラウンドトリップ遅延時間、参照信号の時間差、同期信号の時間差、Ｒｘ−Ｔｘ時間差、及び伝搬遅延、のうちの１つ以上を含む、ノード。
【請求項１０】
請求項１から９のいずれか１項に記載のノード（12; 20; 101; 111）であって、更に、前記複数の所定の相対的タイミングの選択肢のうちの１つ以上をサポートする、当該ノードの能力と関連付けられた情報を、他のノードへ送信するように構成された、ノード。
【請求項１１】
請求項１０に記載のノード（12; 20; 101; 111）であって、前記複数の所定の相対的タイミングの選択肢のうちの１つ以上をサポートする、当該ノードの能力と関連付けられた前記情報は、１つ以上のヌメロロジーに関する情報を含む、ノード。
【請求項１２】
請求項１から１１のいずれか１項に記載のノード（12; 20; 101; 111）であって、更に、前記複数の所定の相対的タイミングの選択肢のうちの１つ以上をサポートする、他のノードの能力と関連付けられた情報を、当該他のノードから受信するように構成された、ノード。
【請求項１３】
請求項１から１２のいずれか１項に記載のノード（12; 20; 101; 111）であって、更に、選択された相対的タイミングを示す制御メッセージを、他のノードへ送信するように構成された、ノード。
【請求項１４】
請求項１から１３のいずれか１項に記載のノード（12; 20; 101; 111）であって、更に、選択された相対的タイミングを示す制御メッセージを、他のノードから受信するように構成された、ノード。
【請求項１５】
請求項１から１４のいずれか１項に記載のノード（12; 20; 101; 111）であって、前記第１の伝送は、データを含み、前記第２の伝送は、前記データの受信に関連するフィードバック情報を含む、ノード。
【請求項１６】
請求項１から１５のいずれか１項に記載のノード（12; 20; 101; 111）であって、前記第１の伝送は、リソース割り当て情報を含み、前記第２の伝送は、データを含む、ノード。
【請求項１７】
請求項１から１６のいずれか１項に記載のノード（12; 20; 101; 111）であって、更に、前記ノードは、エンドノード（12）、アクセスノード（111）及びネットワーク制御ノード（101）のうちの１つである、ノード。
【請求項１８】
無線通信ネットワーク（１）のノード（12; 20; 101; 111）を動作させる方法（3; 4; 5; 6; 7）であって、前記ノード（12; 20; 101; 111）は、第１の伝送の受信（S41）と、当該第１の伝送に応じた、その後の第２の伝送の送信（S43）とを含む通信メカニズムのために構成され、前記方法は、前記第２の伝送を送信するための相対的タイミングを、複数の所定の相対的タイミングの選択肢から選択するための選択プロセス（S42; S72）を含む、方法。
【請求項１９】
請求項１８に記載の方法（3; 4; 5; 6; 7）であって、前記選択プロセス（S42; S72）は更に、
相対的タイミングの選択肢と関連付けられた伝送メカニズムを選択することを含む、方法。
【請求項２０】
請求項１８又は１９に記載の方法（3; 4; 5; 6; 7）であって、前記選択プロセス（S42; S72）は、前記ノード（12; 20; 101; 111）の１つ以上の通信条件と関連付けられた情報を考慮に入れる、方法。
【請求項２１】
請求項２０に記載の方法（3; 4; 5; 6; 7）であって、前記通信条件は、前記通信メカニズムに対して提供される１つ以上の物理レイヤ設定のセットを含む、方法。
【請求項２２】
請求項２１に記載の方法（3; 4; 5; 6; 7）であって、前記セットは少なくともヌメロロジーを含む、方法。
【請求項２３】
請求項２０から２２のいずれか１項に記載の方法（3; 4; 5; 6; 7）であって、前記通信条件は、キャリア周波数を含む、方法。
【請求項２４】
請求項２０から２３のいずれか１項に記載の方法（3; 4; 5; 6; 7）であって、前記通信条件は、通信品質インジケータを含む、方法。
【請求項２５】
請求項２０から２４のいずれか１項に記載の方法（3; 4; 5; 6; 7）であって、前記無線通信ネットワーク（1）は、セルラネットワークであり、前記通信条件は、前記ノード（12; 20; 101; 111）が配置されたセルのセル範囲を含む、方法。
【請求項２６】
請求項２０から２５のいずれか１項に記載の方法（3; 4; 5; 6; 7）であって、１つ以上の通信条件と関連付けられた情報は、到着時間、タイミングアドバンス、ラウンドトリップ遅延時間、参照信号の時間差、同期信号の時間差、Ｒｘ−Ｔｘ時間差、及び伝搬遅延、のうちの１つ以上を含む、方法。
【請求項２７】
請求項１８から２６のいずれか１項に記載の方法（3; 4; 5; 6; 7）であって、更に、
前記複数の所定の相対的タイミングの選択肢のうちの１つ以上をサポートする、当該ノードの能力と関連付けられた情報を、他のノードへ送信することを含む、方法。
【請求項２８】
請求項２７に記載の方法（3; 4; 5; 6; 7）であって、前記複数の所定の相対的タイミングの選択肢のうちの１つ以上をサポートする、当該ノードの能力と関連付けられた前記情報は、１つ以上のヌメロロジーに関する情報を含む、方法。
【請求項２９】
請求項１８から２８のいずれか１項に記載の方法（3; 4; 5; 6; 7）であって、更に、
前記複数の所定の相対的タイミングの選択肢のうちの１つ以上をサポートする、他のノードの能力と関連付けられた情報を、当該他のノードから受信することを含む、方法。
【請求項３０】
請求項２９に記載の方法（3; 4; 5; 6; 7）であって、前記選択プロセス（S42; S72）は、前記複数の所定の相対的タイミングの選択肢のうちの１つ以上をサポートする、前記他のノードの能力と関連付けられた、前記受信された情報を、前記第２の伝送を送信するための前記相対的タイミングを選択する際に考慮に入れる、方法。
【請求項３１】
請求項１８から３０のいずれか１項に記載の方法（3; 4; 5; 6; 7）であって、更に、
選択された相対的タイミングを示す制御メッセージを、他のノードへ送信すること（S51）を含む、方法。
【請求項３２】
請求項１８から３１のいずれか１項に記載の方法（3; 4; 5; 6; 7）であって、更に、
選択された相対的タイミングを示す制御メッセージを、他のノードから受信すること（S61）を含む、方法。
【請求項３３】
請求項３２に記載の方法（3; 4; 5; 6; 7）であって、前記選択プロセス（S42; S72）は、選択された相対的タイミングを示す、前記受信された制御メッセージを、前記第２の伝送を送信するための前記相対的タイミングを選択する際に考慮に入れる、方法。
【請求項３４】
請求項１８から３３のいずれか１項に記載の方法（3; 4; 5; 6; 7）であって、前記第１の伝送は、データを含み、前記第２の伝送は、前記データの受信に関連するフィードバック情報を含む、方法。
【請求項３５】
請求項１８から３４のいずれか１項に記載の方法（3; 4; 5; 6; 7）であって、前記第１の伝送は、リソース割り当て情報を含み、前記第２の伝送は、データを含む、方法。
【請求項３６】
請求項１８から３５のいずれか１項に記載の方法（3; 4; 5; 6; 7）であって、更に、前記ノード（12; 20; 101; 111）は、エンドノード（12）、アクセスノード（111）及びネットワーク制御ノード（101）のうちの１つである、方法。
【請求項３７】
無線通信ネットワークのためのノード（12; 20; 101; 111）で実行されるように構成され、請求項１８から３６のいずれか１項に記載の方法（3; 4; 5; 6; 7）を実行するように構成されたコンピュータプログラム部を含む、コンピュータプログラム。
【請求項３８】
請求項３７に記載のコンピュータプログラムを含む、コンピュータプログラムメモリ。
【請求項３９】
無線通信ネットワーク（1）のためのノード（12; 20; 101; 111）を動作させる方法（3; 4; 5; 6）であって、
第１の伝送を受信すること（S41）と、
前記第１の伝送に応じて第２の伝送を送信するための相対的タイミングを選択すること（S42）と、ここで、当該相対的タイミングは、複数の所定の相対的タイミングの選択肢から選択され、
前記選択された相対的タイミングに従って第２の伝送を送信すること（S43）とを含む、方法。
【請求項４０】
請求項３９に記載の方法（3; 4; 5; 6）であって、更に、
選択された相対的タイミングを示す制御メッセージを、他のノードから受信すること（S61）を含み、前記第２の伝送を送信するための前記相対的タイミングの前記選択は、前記受信された制御メッセージを考慮に入れる、方法。
【請求項４１】
請求項３９又は４０に記載の方法（3; 4; 5; 6）であって、更に、
前記第２の伝送を送信するための前記選択された相対的タイミングを示す制御メッセージを、他のノードへ送信すること（S51）を含む、方法。
【請求項４２】
請求項３９から４１のいずれか１項に記載の方法（3; 4; 5; 6）であって、前記複数の所定の相対的タイミングの選択肢のうちの１つ以上をサポートする、当該ノード（3; 4; 5; 6）の能力と関連付けられた情報を、他のノードへ送信することを更に含む、方法。
【請求項４３】
無線通信ネットワーク（1）のためのノード（12; 20; 101; 111）を動作させる方法（7）であって、
第１の伝送を他のノードへ送信すること（S71）と、
前記第１の伝送に応じた第２の伝送を受信すること（S73）とを含み、前記方法は更に、
前記第１の伝送に応じて前記第２の伝送を送信するための相対的タイミングを選択すること（S72）を含み、当該相対的タイミングは、複数の所定の相対的タイミングの選択肢から選択される、方法。
【請求項４４】
請求項４３に記載の方法（7）であって、更に、
前記第２の伝送を送信するための前記選択された相対的タイミングを示す制御メッセージを、前記他のノードへ送信することを含む、方法。
【請求項４５】
請求項４３又は４４に記載の方法（7）であって、更に、
前記選択された相対的タイミングを示す制御メッセージを、他のノードから受信することを含む、方法。
【請求項４６】
請求項４３から４５のいずれか１項に記載の方法（7）であって、前記複数の所定の相対的タイミングの選択肢のうちの１つ以上をサポートする、他のノードの能力と関連付けられた情報を、当該他のノードから受信することを更に含む、方法。
【請求項４７】
請求項４６に記載の方法であって、前記選択すること（S72）は、前記複数の所定の相対的タイミングの選択肢のうちの１つ以上をサポートする、前記他のノードの能力と関連付けられた前記情報を考慮に入れる、方法。
【発明の詳細な説明】
【技術分野】
【０００１】
本発明は、概して、ノード間で伝送が送信される無線通信ネットワークに関し、特に、そのような通信ネットワークのためのノード及びそのようなノードを動作させる方法に関するものである。
【背景技術】
【０００２】
現在展開済みの及び／又は展開中の無線通信ネットワークは、ＵＭＴＳ（３Ｇとしても知られている、ユニバーサール移動体通信システム）又はＬＴＥ（４Ｇとしても知られている、ロングタームエボリューション）アーキテクチャを有するネットワークを含む。現在、New Radio（ＮＲ）と称されているが５Ｇ又は次世代としても知られている更なる標準規格が開発されている。
【０００３】
そのようなネットワークでは、（例えば、ＬＴＥではｅＮｏｄｅＢ又はｅＮＢと表記され、ＮＲではｇＮＢと表記される）ネットワークノードと無線デバイス（例えば、ユーザ装置（ＵＥ））は、無線伝送を送信及び受信し、それらの一部は先行する伝送に応じて送信される。
【０００４】
ＬＴＥアーキテクチャでは、そのような応答の相対的タイミングが、合意された標準規格によって固定されている。例えば、ＡＣＫ／ＮＡＣＫフィードバックは、伝送を受信するノードによって、伝送が正常に受信された又は受信されなかったことを送信ノードに通知するために使用される。ＡＣＫ／ＮＡＣＫは、ＵＥによる下りリンク（ＤＬ）伝送に応じて（ＵＬ制御チャネル又はデータチャネルを介して）送信されうるか、又は上りリンク（ＵＬ）伝送に応じてｅＮＢによって（物理ハイブリッド・インジケータ・チャネル（ＰＨＩＣＨ）を介して）送信されうる。
【０００５】
周波数分割複信（ＦＤＤ）では、無線デバイスによって送信されるＨＡＲＱフィードバックは一般に、ネットワークの構成に依存して、（サブフレームｎにおける）伝送の受信から４サブフレーム後（ｎ＋４）に送信される。時分割複信（ＴＤＤ）では、関係も予め定義される。ハーフデュプレックスＦＤＤ（ＨＤ−ＦＤＤ）では、ＵＥにおけるデータの受信と上りリンクでのＨＡＲＱ Ａ／Ｎの送信との間のタイミング関係も、例えば狭帯域インターネットオブシングス（ＮＢ−ＩｏＴ：Narrowband Internet of Things）において予め定義され、ＡＣＫ／ＮＡＣＫはサブフレームｎ＋１２で送信される。
【０００６】
第３世代パートナシッププロジェクト（３ＧＰＰ）によって現在議論されているＮＲアーキテクチャは、ＬＴＥネットワークとのある程度の相互運用性を提供することが想定されている。
【発明の概要】
【０００７】
本発明の目的は、第１の伝送の受信と、当該第１の伝送に応じた、その後の第２の伝送の送信とを含む通信メカニズムに関してより柔軟性のある、無線通信ネットワークのためのノードを提供することである。
【０００８】
実施形態によれば、無線通信ネットワークのためのノードが提案される。ノードは、第１の伝送の受信と、当該第１の伝送に応じた、その後の第２の伝送の送信とを含む通信メカニズムのために構成される。ノードは更に、第２の伝送を送信するための相対的タイミングを、複数の所定の相対的タイミングの選択肢から選択するための選択プロセスを実行するように構成される。
【０００９】
本概念によれば、ノードは、記載された通信メカニズムとの関連で第１の伝送の送信ノード又は第２の伝送の送信ノードであってよく、必ずしも、従来技術における方法のような所定の方法で第２の伝送の送信のためのタイミングを設定することに限定されないが、相対的タイミングを選択するための選択プロセスを実行する能力を有する。「相対的タイミング」との表現は、その相対的タイミングに関して互いに異なる複数の（即ち、２つ以上の）選択肢が存在すること、即ち、ｉ＝１, ..., ｎとして、選択肢Ｃiが、選択肢Ｃi+1についての第２の伝送の送信よりも選択肢Ｃiの方が早くなるという意味で、第２の伝送の最も早い送信から最も遅い送信までについての時間的な序列（hierarchy）に関連する場合に、相対的タイミングのｎ個の選択肢が存在することを意味する。当然ながら、選択肢の表現は逆順であってもよく、即ち、選択肢Ｃiが、選択肢Ｃi+1についての第２の伝送の送信よりも選択肢Ｃiの方が遅くなるという意味で、最も遅いものから最も早いものまでの時間的な序列として同じように表現されうる。一例として、本概念は、選択肢Ｃ1が選択された場合に、選択肢Ｃ2が選択された場合よりも第２の伝送が早くなるように、第１の選択肢Ｃ1＝「早い」、かつ、第２の選択肢Ｃ2＝「遅い」として具体化されうる。
【００１０】
理解されるように、選択肢Ｃiは、関連する実際の時間値に対する限定とならないよう、互いの相対的タイミングにのみ関連する。更に、各選択肢Ｃiについての第２の伝送が送信される実際の時間は、異なる選択肢間の相対的タイミングの序列が維持される限り、第２の伝送の送信の１つのインスタンスから、第２の伝送の送信の別のインスタンスまで変化しうる。それでも、必要に応じて、本概念は、各選択肢Ｃiと関連付けられた実際の時間値（例えば、第１の伝送の受信と第２の伝送の送信との間の時間差を表す異なる時間ΔＴi）のセットとして具体化されうる。しかし、それぞれが相対的タイミングに関連付けられ、それにより、例えば最も早いものから最も遅いものまで若しくはその逆の又は他の何らかの方法で順序付けられたタイミング選択肢の序列を同様に提供する、伝送メカニズムＭiのセットとして、本概念は同じように具体化されうる。
【００１１】
記載された概念により、第２の伝送を送信することで第１の伝送に反応するための応答時間が可変的に制御可能であるため、通信ネットワークのノードがよりフレキシブルになる。
【００１２】
更なる実施形態によれば、無線通信ネットワークのノードを動作させるための方法が提案される。ノードは、第１の伝送の受信と、当該第１の伝送に応じた、その後の第２の伝送の送信とを含む通信メカニズムのために構成される。方法は、第２の伝送を送信するための相対的タイミングを、複数の所定の相対的タイミングの選択肢から選択するための選択プロセスを含む。他の実施形態によれば、コンピュータプログラムが提案され、当該コンピュータプログラムは、無線通信ネットワークのためのノードで実行されるように構成され、当該ノードは、方法を実行するように構成されたコンピュータプログラム部を有する。更に、実施形態は、コンピュータプログラムを含むコンピュータプログラムメモリの形式であってもよい。
【００１３】
更なる実施形態によれば、通信ネットワークのためのノードを動作させる方法が提案され、当該方法は、第１の伝送を受信することと、当該第１の伝送に応じて第２の伝送を送信するための相対的タイミングを選択することであって、当該相対的タイミングは、複数の所定の相対的タイミングの選択肢から選択される、当該選択することと、選択された相対的タイミングに従って第２の伝送を送信することと、を含む。
【００１４】
更なる実施形態によれば、通信ネットワークのためのノードを動作させる方法が提案され、当該方法は、第１の伝送を他のノードへ送信することと、
当該第１の伝送に応じた第２の伝送を受信することと、を含み、当該方法は更に、第１の伝送に応じて第２の伝送を送信するための相対的タイミングを選択することを含み、当該相対的タイミングは、複数の所定の相対的タイミングの選択肢から選択される。
【図面の簡単な説明】
【００１５】
例示であって限定するものではないと理解されるべき、実施形態についての以下の説明及び好適な例では、以下の図面を参照する。
【００１６】
【図１】図１は、通信ネットワークの例の略図を示す。
【図２】図２は、本明細書に記載の概念に係るノードの略図を示す。
【図３】図３は、方法の実施形態のフローチャートを示す。
【図４】図４は、他の方法の実施形態のフローチャートを示す。
【図５】図５は、他の方法の実施形態のフローチャートを示す。
【図６】図６は、他の方法の実施形態のフローチャートを示す。
【図７】図７は、他の方法の実施形態のフローチャートを示す。
【図８】図８は、ＮＲアーキテクチャの概略的な例を示す。
【図９】図９は、ＮＲ展開例を示す。
【図１０】図１０は、ＮＲ用のサブキャリア間隔候補の設定の例を示す。
【図１１】図１１は、ＡＣＫ／ＮＡＣＫフィードバックを最後に有するＤＬヘビースロットの例を示す。
【図１２】図１２は、受信した第１の伝送に応じたフィードバックを有する第２の伝送を送信するための異なる２つの相対的タイミングの例を示す。
【図１３】図１３は、応答におけるリソース割り当て及びデータ伝送の第１のシナリオを示す。
【図１４】図１４は、応答におけるリソース割り当て及びデータ伝送の第２のシナリオを示す。
【図１５】図１５は、応答におけるリソース割り当て及びデータ伝送の第３のシナリオを示す。
【図１６】図１６は、ＤＬ ＨＡＲＱフィードバックが、「即時の」ＡＣＫ／ＮＡＣＫの形式としてＤＬヘビースロット期間の最後にどのように送信されるかの例を示す。
【図１７】図１７は、図１６の例の「即時の」フィードバックに関して遅らせられたフィードバック伝送の例を示す。
【発明を実施するための形態】
【００１７】
図１は、無線通信ネットワーク１の例の略図を示し、当該無線通信ネットワークは、１つ以上のコア部（又はコアネットワーク）１０と、１つ以上のアクセス部（又はアクセスネットワーク）１１とを有するように示されている。コア部１０は、コア制御及び管理機能を提供するように構成され、アクセス部１１は、エンドノード１２に無線通信ネットワーク１にアクセスさせるよう構成される。コア部又はネットワーク及びアクセス部又はネットワークの概念は、更なる説明が不要であるように周知である。図１は更に、コアネットワークノード１０１とアクセスネットワークノード１１１とを示している。ここで記載の概念は、記載されたいずれのノードにも適用可能であり、即ち、エンドノード１２、アクセスノード１１１、及び／又はコア部１０のネットワーク制御ノード１０１において実施できる。本概念は、例えば３Ｇ、４Ｇ及び／又は５Ｇに適用できるよう、いかなる特定の通信技術にも限定されず、異なる技術の組み合わされたいかなるアーキテクチャにも限定されない。
【００１８】
エンドノードの例は、ユーザ装置、又はアクセス部１１を介してネットワーク１にアクセスするよう構成された任意の他のデバイスである。このように、エンドノードは、無線デバイス、携帯電話、モバイルコンピュータ、中継器であってもよいし、任意の適切に備えられたセンサ、アクチュエータ、又は、例えばＩｏＴエレメント（ＩｏＴ＝Internet of Things）である、相互接続性のために設計された他のエレメントであってもよい。エンドノードは、ネットワーク１を通じた互いのノードの通信と、ネットワーク１以外のネットワークのノード（例えば、インターネット等に配置されたコンピュータサーバ）との通信との両方を行うよう構成されるが、エンドノードは、互いに直接通信を行うように構成されてもよいことに留意すべきである。このため、本明細書におけるエンドノードは、無線信号を介してアクセスノード又は他のエンドノードと通信可能な任意のタイプの無線デバイスでありうる。エンドノードは、無線通信デバイス、ターゲットデバイス、デバイス・ツー・デバイス（Ｄ２Ｄ）ＵＥ，マシンタイプＵＥ、又はマシン・ツー・マシン（Ｍ２Ｍ）が可能なＵＥ、ＵＥに備えられたセンサ、タブレット、モバイル端末、スマートフォン、laptop embedded equipped（ＬＥＥ）、laptop mounted equipment（ＬＭＥ）、ＵＳＢドングル、カスタマ構内設備（ＣＰＥ：Customer Premises Equipment）などであってもよい。
【００１９】
アクセスノードは、基地局（ＢＳ）、無線基地局、ベーストランシーバ局（ＢＴＳ（base transceiver station）、基地局コントローラ（ＢＳＣ：base station controller）、ネットワークコントローラ、ｇＮｏｄｅＢ、ｇＮＢ、ＮＲ ＢＳ、進化型ＮｏｄｅＢ（ｅＮＢ）、ＮｏｄｅＢ、Multi-cell/multicast Coordination Entity（ＭＣＥ）、中継ノード、アクセスポイント、無線アクセスポイント、リモート無線ユニット（ＲＲＵ）、リモート無線ヘッド（ＲＲＨ）、マルチスタンダードＢＳ（ＭＳＲ ＢＳ：multi-standard BS）を含みうる、任意の種類のネットワークノードでありうる。
【００２０】
ネットワーク制御ノードは、例えば、ＭＭＥ（モビリティ管理エンティティ）、ＳＯＮ（自己組織化ネットワーク）ノード、協調ノード、測位ノード、ＭＤＴ（Minimization of Drive Tests）ノード等の、又は更には外部ノード（例えば、サードパーティノード、現在のネットワーク１の外部のノード等の、任意のコアネットワークノードでありうる。
【００２１】
本明細書では、「ネットワークノード」との用語は、アクセスノード及びネットワーク制御ノードの両方に対して使用される。ネットワークノードは、試験装置も含みうる。
【００２２】
図２は、本概念に係る無線通信ネットワークのためのノードの略図を示す。ノード２０は、他のノードと通信するためのインタフェース部２０１を備える。ノード２０がエンドノード（例えば図１のエンドノード１２）である場合、インタフェース部２０１は、無線通信を行うように構成される。ノード２０がアクセスノード（例えば図１のアクセスノード１１１）である場合、インタフェース部は、エンドノードと無線通信を行うように構成され、かつ、コアネットワークのネットワーク制御ノードとの有線及び無線通信の１つ又は両方を行うように構成される。ノード２０がコアネットワークのネットワーク制御ノード（例えば図１のネットワーク制御ノード１０１）である場合、インタフェース部は、アクセスノードとの有線及び無線通信の１つ又は両方を行うように構成される。インタフェース部２０１は更に、ノードの通信条件（例えば信号強度）に関する測定を実行するように構成されうる。しかし、ノード２０は、専用の測定装置（図示せず）又は試験装置（図示せず）を有していてもよい。
【００２３】
ノード２０は、ノード２０の動作を制御する、特に、インタフェース部２０１によって行われる通信及び／又は測定だけでなく受信されたデータ及び情報の処理を制御するための制御部２０２を更に備える。制御部は、任意の適切な又は所望の方法で提供され、例えば、１つ以上のプログラム可能なプロセッサ、及び制御ソフトウェア及び処理データを格納するための１つ以上のメモリ及び記憶装置を備えうる。
【００２４】
本概念によれば、ノード２０は、第１の伝送の受信と、当該第１の伝送に応じた、その後の第２の伝送の送信とを含む通信メカニズムのために構成される。そのようなメカニズムの例では、第１の伝送が、データを含み、第２の伝送が、当該データの受信に関するフィードバック情報を含む。種々のそのようなフィードバックメカニズムが知られており、例えば、ＡＲＱ（自動再送要求）メカニズム又はＨＡＲＱ（ハイブリッドＡＲＱ）メカニズムが知られている。そのようなＡＲＱ又はＨＡＲＱメカニズムは、本概念の典型的なケースでは第２の伝送がＡＣＫ／ＮＡＣＫ情報を含みうるように、第１の伝送で受信されたデータの受信状態に関するＡＣＫ／ＮＡＣＫ（確認応答／否定確認応答）メッセージを送信することを含みうる。
【００２５】
第２の伝送で送信されうるフィードバック情報の他の例は、ＣＳＩ（チャネル状態情報）フィードバック又はＣＱＩ（チャネル品質インジケータ）フィードバックである。
【００２６】
第１の伝送の受信と、当該第１の伝送に応じた、その後の第２の伝送の送信とを含む通信メカニズムの他の例では、第１の伝送がリソース割り当て情報を含み、第２の伝送がデータを含み、当該データは、リソース割り当て情報を用いて割り当てられたリソースで送信される。本概念の典型的なケースでは、第１の伝送は、例えばスケジューリング情報を含みうる。
【００２７】
本明細書に記載の概念との関係で、ノード２０は、記載された通信メカニズムにおいて異なる方法で関与しうる。例えば、ノード２０は、第１の伝送の受信機と第２の伝送の送信機とでありうる。ノード２０がエンドノードである場合、第１の伝送は、ＤＬ（下りリンク）データ通信を含みうるとともに、第２の伝送は、ＤＬデータ通信の受信状態に関するＵＬ（上りリンク）フィードバックメッセージを含みうる。同様に、第１の伝送は、ＤＬで送信されたスケジューリング情報でありうるとともに、第２の伝送は、受信されたスケジューリング情報に応じたＵＬ伝送でありうる。ノード２０がアクセスノードである場合、第１の伝送は、ＵＬデータ通信を含みうるとともに、第２の伝送は、ＵＬデータ通信の受信状態に関するＤＬフィードバックメッセージを含みうる。 
【００２８】
しかし、ノード２０は、第１の伝送の送信機及び第２の伝送の受信機であってもよい。あるいは、ノード２０は、第１の伝送の受信と当該第１の伝送の受信に応じた、その後の第２の伝送の送信とを含む通信メカニズムの、送信機及び受信機として機能する他のノードの１つまたは両方に対して制御情報を送信するネットワークノードであってもよい。
【００２９】
ＵＬ又はＤＬ通信に対して適用可能なのに加えて、本明細書に記載の概念は、例えば、サイドリンク通信に対して、又は、２つ以上のエンドノード間の通信、２つ以上のアクセスノード間の通信、若しくは２つ以上のネットワーク制御ノード間の通信に対しても適用可能である。
【００３０】
更に、本明細書に記載の概念は、第１及び第２の伝送のための任意の所望のタイプのキャリア又はチャネルに関連して採用されてもよく、例えば、１つ又は両方が、制御チャネル（例えば、物理上りリンク制御チャネル（ＰＵＣＣＨ）又は物理下りリンク制御チャネル（ＰＤＣＣＨ））又はデータチャネル（例えば、物理上りリンク共有チャネル（ＰＤＳＣＨ）又は物理上りリンク共有チャネル（ＰＵＳＣＨ））上で搬送されてもよい。
【００３１】
本概念によれば、ノード２０の制御部２０２は、第２の伝送の送信についての相対的タイミングを、複数の所定の相対的タイミングの選択肢から選択するための選択プロセスを実行するための構成２０２１を備えうる。構成２０２１は、任意の適切な又は所望の方法で設けられてよく、例えば、ハードウェア、ソフトウェア、又はハードウェア及びソフトウェアの任意の適切な組み合わせとして設けられてよい。例えば、構成２０２１は、ノード２０のプロセッサで実行されるよう設計されたコンピュータプログラム部であってもよい。
【００３２】
「相対的タイミング」との表現は、その相対的タイミングに関して互いに異なる複数の（即ち、２つ以上の）選択肢が存在すること、即ち、ｉ＝１, ..., ｎとして、選択肢Ｃiが、選択肢Ｃi+1についての第２の伝送の送信よりも選択肢Ｃiの方が早くなるという意味で、第２の伝送の最も早い送信から最も遅い送信までについての時間的な序列（hierarchy）に関連する場合に、相対的タイミングのｎ個の選択肢が存在することを意味する。当然ながら、選択肢の表現は逆順であってもよく、即ち、選択肢Ｃiが、選択肢Ｃi+1についての第２の伝送の送信よりも選択肢Ｃiの方が遅くなるという意味で、最も遅いものから最も早いものまでの時間的な序列として同じように表現されうる。一例として、本概念は、選択肢Ｃ1が選択された場合に、選択肢Ｃ2が選択された場合よりも第２の伝送が早くなるように、第１の選択肢Ｃ1＝「早い」、かつ、第２の選択肢Ｃ2＝「遅い」として具体化されうる。他の例として、本概念は、選択肢Ｃ1が選択された場合に、選択肢Ｃ2が選択された場合よりも第２の伝送が早く、かつ、選択肢Ｃ2が選択された場合に、選択肢Ｃ3が選択された場合よりも第２の伝送が早くように、第１の選択肢Ｃ1＝「早い」、第２の選択肢Ｃ2＝「中間」、及び第３の選択肢Ｃ3＝「遅い」として具体化されうる。として具体化されうる。
【００３３】
理解されるように、選択肢Ｃiは、関連する実際の時間値に対する限定とならないよう、互いの相対的タイミングにのみ関連する。更に、各選択肢Ｃiについての第２の伝送が送信される実際の時間は、異なる選択肢間の相対的タイミングの序列が維持される限り、第２の伝送の送信の１つのインスタンスから、第２の伝送の送信の別のインスタンスまで変化しうる。それでも、必要に応じて、本概念は、各選択肢Ｃiと関連付けられた実際の時間値（例えば、第１の伝送の受信と第２の伝送の送信との間の時間差を表す異なる時間ΔＴi）のセットとして具体化されうる。しかし、それぞれが相対的タイミングに関連付けられ、それにより最も早いものから最も遅いものまで又はその逆のタイミング選択肢の序列を同様に提供する、伝送メカニズムＭiのセットとして、本概念は同じように具体化されうる。
【００３４】
図３は、本明細書に記載の概念についての基本的な方法の実施形態のフローチャートを示す。無線通信ネットワークのノードを動作させるための方法３であって、当該ノードは例えば図２のノード２０であり、第１の伝送の受信と、当該第１の伝送に応じた、それに続く第２の伝送の送信とを含む通信メカニズムのために構成されており、当該方法には、第２の伝送を送信するための相対的タイミングを、複数の所定の相対的タイミングの選択肢から選択するための選択プロセスＳ３１が設けられている。
【００３５】
図４のフローチャートには、更なる方法の実施形態の例が示されている。無線通信ネットワークのノードを動作させるための方法４であって、当該ノードは例えば図２のノード２０であり、第１の伝送の受信と、当該第１の伝送に応じた、それに続く第２の伝送の送信とを含む通信メカニズムのために構成されており、当該方法には、第１の伝送を受信するステップＳ４１と、第２の伝送を送信するための相対的タイミングを、複数の所定の相対的タイミングの選択肢から選択するための選択プロセスＳ４２と、選択された相対的タイミングに従って第２の伝送を送信するステップＳ４３と、を含む。
【００３６】
図３及び図４の方法は、第２の伝送を他のノードへ送信するための選択された相対的タイミングを示す制御メッセージを送信することを含む、選択プロセスＳ３１又はＳ４２に続くステップを追加的に含んでもよい。図５には一例が示されており、ステップＳ５１は、そのような制御メッセージを送信することを含む。この例ではステップＳ５１はステップＳ４３に続いてもいるが、これは必須ではなく、ステップＳ５１が、ステップＳ４３より前であってもよいし、ステップＳ４３と並列であってもよい。他のノードは、伝送メカニズムにおける直接通信の相手であってもよく、即ち、第１の伝送を送信したノードであってもよく、あるいは、ネットワーク１の制御ノードのような他の何らかのノードであってもよい。また、制御メッセージは、複数のノードへ送信されてもよい。制御メッセージのおかげで、他のノード（例えば、第２の伝送の対象となる受信機）は、第２の伝送を送信するノードのタイミング選択肢をしることになり、それにより適切に受信プロセスを制御可能になる。しかし、制御メッセージが送信されることは必須ではないことに留意すべきであり、これは、第２の伝送を受信することが意図されたノードがＳ３１又はＳ４２のような同じ選択プロセスを実行し、即ち、方法３又は方法４を実行するノードと同じロジック又はアルゴリズム及び同じ入力情報を適用し、制御メッセージを受信することなく同じ相対的タイミングを導出するように整えられうるためである。
【００３７】
制御メッセージの送信は、選択プロセスの完了ごとの後に自動的に行われてもよいが、それとは異なるように（例えば、他のノードの要求に応じて又は外部イベントに依存して）トリガされてもよい。
【００３８】
図３、図４及び図５の方法は、第２の伝送を他のノードへ送信するための選択された相対的タイミングを示す制御メッセージ（例えば、ＤＣＩメッセージであり、ＤＣＩは下りリンク制御情報を表す）を受信することを含む、選択プロセスＳ３１又はＳ４２より前のステップも含んでもよい。また、制御メッセージは、ＲＲＣ（無線リソース制御メッセージ）でありうる。図６には一例が示されており、ステップＳ６１は、そのような制御メッセージを受信することを含む。この例ではステップＳ６１はステップＳ４１に続いてもいるが、これは必須ではなく、ステップＳ６１が、ステップＳ４１より前であってもよいし、ステップＳ４１と並列であってもよい。その後、第２の伝送を送信するための相対的タイミングを選択するための選択プロセスＳ３１又はＳ４２は、受信された制御メッセージを考慮に入れてもよい。当該考慮に入れることは、制御メッセージがコマンドメッセージであり、かつ、選択プロセスが受信されたコマンドに従うようになされうる。ただし、当該考慮に入れることは、制御メッセージが、相対的タイミングの選択肢についての他のノードの提案をノードに知らせる情報メッセージであるようになされてもよく、選択プロセスＳ３１又はＳ４２は、当該提案に従ってもよいし従わなくてもよく、即ち、異なる選択を行う自由がある。後者のケースでは、方法３、４、５又は６は、選択された相対的タイミングの選択肢を、例えばコマンドメッセージとして又は情報メッセージとして、１つ以上の他のノードに知らせるために、図５のＳ５１のような制御メッセージ送信ステップを含むことが望ましい。
【００３９】
既に述べたように、制御メッセージは、ＤＣＩメッセージ及びＲＲＣメッセージのうちの１つ又は両方でありうる。好ましくは、ＲＲＣ及びＤＣＩ制御メッセージシグナリングの組み合わせが使用される。例えば、ＲＲＣ制御メッセージは、（例えば、他のノードの能力を考慮した）可能性のある値のセットを設定してもよく、ＤＣＩ制御メッセージは、設定されたオプションのうちの１つを選択してもよい。これについてのより詳細な例が以下で与えられる。ＤＣＩメッセージは、ＲＲＣメッセージによって設定された応答時間についての２又は４個の値のうちから１つ（例えば、１又は２ビット）を選択しうる。ＲＲＣが設定できる値は、例えば、ヌメロロジーに依存してもよく、とりわけ、設定される最小の可能性のある値に依存してもよい。応答時間は、ＤＬデータ伝送（の最後）と、ＰＵＣＣＨ（ＨＡＲＱフィードバック）伝送との間の時間であってもよい。他の例は、ＵＬグラントの最後とＵＬ伝送の最初との間の時間である。なお、更には、所与のサブキャリア間隔はヌメロロジーの一例であり、（例えば、シンボル数で表される）所与の最小応答時間は能力の一例である。
【００４０】
例：
例Ａ：１５ｋＨｚのサブキャリア間隔の場合、ＵＥは、ＤＬデータの最後とＰＵＣＣＨの最初との間に少なくとも１ＯＦＤＭシンボルを必要とする。
例Ｂ：３０ｋＨｚのサブキャリア間隔の場合、ＵＥは、ＤＬデータの最後とＰＵＣＣＨの最初との間に少なくとも２ＯＦＤＭシンボルを必要とする。
例Ｃ：６０ｋＨｚのサブキャリア間隔の場合、ＵＥは、ＤＬデータの最後とＰＵＣＣＨの最初との間に少なくとも４ＯＦＤＭシンボルを必要とする。
【００４１】
例えばＲＲＣを介した設定は、ＯＦＤＭシンボル数を単位とした（即ち、ｎiを数として、第１のタイミング選択肢はｎ1個のＯＦＤＭシンボルとして表され、第２のタイミング選択肢はｎ2個のＯＦＤＭシンボルとして表される等）相対的タイミングの可能性のある選択肢のセットを定めることを含みうる。（例えばＤＣＩを介した）選択制御シグナリングが１ビットである場合、可能性のある選択肢のセットは２つの要素｛ｎ1, ｎ2｝を有し、（例えばＤＣＩを介した）選択制御シグナリングが２ビットである場合、可能性のある選択肢のセットは４つの要素｛ｎ1, ｎ2, ｎ3, ｎ4｝を有する等である。ｎiの最小の数は、少なくとも上述の最小応答時間と同程度の大きさでなければならず、即ち、例Ａに対して１、例Ｂに対して２、例Ｃに対して４である。当然ながら、最小の数は、最小の間隔より大きくてもよい。このように、「より遅い」応答時間の調整が可能である。例を挙げると、１ビット選択シグナリングの場合、例Ａに対する設定は｛１, ２｝、例Ｂに対しては｛２, ３｝、及び例Ｃに対しては｛４, ５｝でありうる。異なる「より遅い」設定は、例Ａに対して｛３, ６｝、例Ｂに対して｛５, ８｝、例Ｃに対して｛７, １０｝でありうる。
【００４２】
なお、例えば１５ｋＨｚのサブキャリア間隔の、所与のヌメロロジーについて、異なる能力を有する異なるノード（例えば、端末）が存在してもよく、例えば、１つのノードが１ＯＦＤＭシンボルの最小応答時間を有し、他のノードが３ＯＦＤＭシンボルの最小応答時間を有する。その結果、可能性のある設定はこれらの異なる能力を適宜考慮に入れ、即ち上記で説明したように、ｎiのうちの最小の数は、最小応答時間と同程度の大きさでなければならない。
【００４３】
例Ｄ：１５ｋＨｚのサブキャリア間隔の場合、ＵＥは、ＵＬグラントの最後とＵＬ伝送の最初との間に少なくとも２ＯＦＤＭシンボルを必要とする。
例Ｅ：３０ｋＨｚのサブキャリア間隔の場合、ＵＥは、ＵＬグラントの最後とＵＬ伝送の最初との間に少なくとも３ＯＦＤＭシンボルを必要とする。
例Ｆ：６０ｋＨｚのサブキャリア間隔の場合、ＵＥは、ＵＬグラントの最後とＵＬ伝送の最初との間に少なくとも４ＯＦＤＭシンボルを必要とする。
【００４４】
例Ａ−Ｃについての説明と同様、１ビット選択シグナリングの場合、例Ｄに対する設定は｛２, ３｝、例Ｅに対しては｛３, ４｝、及び例Ｆに対しては｛４, ５｝でありうる。異なる「より遅い」設定は、例Ｄに対して｛４, ６｝、例Ｅに対して｛６, ８｝、例Ｆに対して｛８, １０｝でありうる。
【００４５】
なお、これらの例はＯＦＤＭシンボル数を時間遅延の表現として使用しているが、これは多くのもののうちの１つの可能性にすぎず、例えばマイクロ秒又は秒で表さされた絶対的な時間を使用した、他の表現も可能である。
【００４６】
図７のフローチャートには、方法の実施形態の更なる例が示されている。無線通信ネットワークのノードを動作させるための方法７であって、当該ノードは例えば図２のノード２０であり、第１の伝送の受信と、当該第１の伝送に応じた、それに続く第２の伝送の送信とを含む通信メカニズムのために構成されており、当該方法には、第１の伝送を送信するステップＳ７１と、第２の伝送を送信するための相対的タイミングを、複数の所定の相対的タイミングの選択肢から選択するための選択プロセスＳ７２と、第２の伝送を受信するステップＳ７３と、を含む。図７を実行するノードは、選択された相対的タイミングの選択肢に従って、第２の伝送を受信するための受信プロセスを制御してもよい。
【００４７】
図３及び図７の方法は、プロセスＳ３１又はＳ７２の選択された相対的タイミングを示す制御メッセージを、１つ以上の他のノード（とりわけ、第１の伝送の送信先のノード）へ送信する、プロセスＳ３１又はＳ７１に続くステップを追加的に含んでもよい。制御メッセージは、同じ相対的タイミングの選択肢を選択するよう、（複数の）他のノードに指示するコマンドメッセージの形式であってもよいし、又は、プロセスＳ３１又はＳ７２により行われた選択を、（複数の）他のノードで行われる相対的タイミングの選択のための提案として含む情報メッセージの形式であってもよい。
【００４８】
図３及び図７の方法は更に、選択された相対的タイミングを示す制御メッセージを、他のノードから（とりわけ、第１の伝送の送信先のノードから）受信するステップを、プロセスＳ３１又はＳ７２より前に追加的に含んでもよい。制御メッセージは、方法７を実行中のノードに対して、プロセスＳ３１又はＳ７２において同じ相対的タイミングを選択するよう指示するコマンドメッセージの形式であってもよいし、又は、プロセスＳ３１又はＳ７２により行われる相対的タイミングの選択のための提案を含む情報メッセージの形式であってもよい。
【００４９】
図３〜図７の動作方法は、各図において点線で示されるように、通信ノードの動作に属する、これまでに既知の更なるステップ及びプロセスを一般的に含むが、それらは本明細書に記載の概念には関連しないためそれらについては更には説明しない。
【００５０】
本明細書に記載の概念に係るノード（例えば、図２に示されるようなノード２０）は、更に、複数の所定の相対的タイミングの選択肢のうちの１つ以上をサポートする能力であって当該ノードの能力と関連付けられた情報を、１つ以上の他のノードへ送信するように構成されてもよい。例えば、複数の所定の相対的タイミングの選択肢のうちの１つ以上をサポートする能力であって当該ノードの能力と関連付けられた情報は、当該ノードによってサポートされている１つ以上のヌメロロジーに関する情報を含んでもよい。したがって、図３−図７の方法は、複数の所定の相対的タイミングの選択肢のうちの１つ以上をサポートする、ノードの能力と関連付けられた情報を、他のノードへ送信するステップを、当該方法のどこかに、好ましくは選択プロセスＳ３１、Ｓ４２又はＳ７２より前に、より好ましくは第１の伝送の受信と当該第１の伝送に応じた、それに続く第２の伝送の送信とを含む通信メカニズムに関与するより前に（即ち、ステップＳ４１又はＳ７１より前に）、含んでもよい。
【００５１】
本明細書に記載の概念に係るノード（例えば、図２に示されるようなノード２０）は、追加的に又は代替的に、複数の所定の相対的タイミングの選択肢のうちの１つ以上をサポートする能力であって他のノードの能力と関連付けられた情報を、当該他のノードから受信するように構成されてもよい。したがって、図３−図７の方法は、複数の所定の相対的タイミングの選択肢のうちの１つ以上をサポートする能力であって他のノードの能力と関連付けられた情報を、当該他のノードから受信するステップを、当該方法のどこかに、好ましくは選択プロセスＳ３１、Ｓ４２又はＳ７２より前に、より好ましくは第１の伝送の受信と当該第１の伝送に応じたそれに続く第２の伝送の送信とを含む通信メカニズムに関与するより前に（即ち、ステップＳ４１又はＳ７１より前に）、含んでもよい。その結果、この能力情報は、プロセスＳ３１、Ｓ４２又はＳ７２を実行するその後のインスタンスにおいて、相対的タイミングの選択肢を選択するために使用されてもよく、即ち、選択プロセスは、複数の所定の相対的タイミングの選択肢のうちの１つ以上をサポートする能力であって他のノードの能力と関連付けられた、受信された情報を、第２の伝送を送信するための相対的タイミングを選択する際に考慮に入れる。
【００５２】
選択構成２０２１又は選択プロセスＳ３１、Ｓ４２又はＳ７２が、相対的タイミングの選択肢を選択するために用いる基準又は依存性は、任意の又は所望の方法で選ばれうる。好適な実施形態によれば、選択プロセスは、第１の伝送の受信と当該第１の伝送に応じたそれに続く第２の伝送の送信とを含む通信メカニズムに関与するノード（即ち、第１の伝送を受信し、かつ、第２の伝送を送信するノード、及び／又は第１の伝送を送信し、かつ、第２の伝送を受信するノード）のうちの１つ又は両方の、１つ以上の通信条件に関連付けられた情報を考慮にいれるよう構成される。１つ以上の通信条件に関連付けられた情報を考慮に入れることは、選択構成を有する又は選択プロセスを実行するノードが、１つ以上の通信条件と関連付けられた情報を選択手順において直接的に処理する、という意味で、直接的であってもよいし、又は、選択された相対的タイミングを示す（図６に関連して上述した制御メッセージＳ６１のような）制御メッセージが、１つ以上の通信条件と関連付けられた情報を考慮に入れるプロセスにおいて生成されたが、選択構成を有する又は選択プロセスを実行するノードは、当該制御メッセージのみを受信し、その後に、当該制御メッセージに含まれるタイミング選択肢についてのコマンドに単純に従う、という意味で、間接的であってもよい。通信メカニズムに関与するノードの１つ又は両方の１つ以上の通信条件と関連付けられた情報を考慮に入れることは、これまでに述べた、複数の所定の相対的タイミングの選択肢のうちの１つ以上をサポートする、他のノードの能力を考慮に入れることと組み合わされてもよい。
【００５３】
通信条件は、第１の伝送の転送（例えば、第１の伝送を搬送する信号又はキャリア、及び／又は第１の伝送を搬送するチャネル、及び／又は第１の伝送を搬送するベアラ）と、第２の伝送の転送（例えば、第２の伝送を搬送する信号又はキャリア、及び／又は第２の伝送を搬送するチャネル、及び／又は第２の伝送を搬送するベアラ）とのうちの１つ以上に関連してもよい。
【００５４】
通信条件は、通信メカニズムに対して提供される１つ以上の物理レイヤ設定のセットを含んでもよい。そのようなセットの例は、ヌメロロジーである。ヌメロロジーの例は、サブキャリア間隔、サイクリックプレフィックス、チャネル間隔、所与の帯域幅内のＲＢ（無線ベアラ）の数、シンボル長、サブフレーム長、スロット長等のうちの１つ以上である。このため、選択プロセスは、使用されるヌメロロジー又は複数のヌメロロジーと、使用されるヌメロロジー又は複数のヌメロロジーを前提としてタイミング選択肢をサポートする他のノードの能力との１つ又は両方を考慮に入れうる。
【００５５】
通信条件は、キャリア周波数を更に含んでもよい。
【００５６】
通信条件は、カバレッジレベルのような、任意の適切なチャネル品質インジケータを更に含んでもよい。通信品質は、任意の適切な又は所望の方法で評価されうる。例えば、エンドノードとアクセスノードとの間の通信においては、通信品質に関連する１つ以上の無線測定値を測定することによってインジケータ（例えば、カバレッジレベル）を判定可能であり、ここで、これらの値は、各閾値が所与のカバレッジレベルに対応する複数の閾値のセットと比較されうる。「無線測定」との用語は、無線信号に対する任意の測定を指しうる。無線測定は、絶対的であってもよいし相対的であってもよい。無線測定は、例えば、周波数間、周波数内、ＣＡ等でありうる。無線測定は、一方向（例えば、ＤＬ又はＵＬ）のものであってもよいし双方向（例えば、ＲＴＴ、Ｒｘ−Ｔｘ等）のものであってもよい。無線測定のいくつかの例は、タイミング測定（例えば、ＴＯＡ（到着時間）、タイミングアドバンス、ＲＴＴ（ランドトリップ時間）、ＲＳＲＤ（参照信号の時間差、Reference Signal Time Difference）、ＳＳＴＤ（同期信号の時間差、Synchronization Signal Time Difference）、Ｒｘ−Ｔｘの時間差、伝搬遅延、等）、角度測定（例えば、到来角度）、電力ベースの測定（例えば、受信信号電力、ＲＳＲＰ（参照シンボル受信電力）、受信信号品質、ＲＳＲＱ（参照信号受信品質）、ＳＩＮＲ、ＳＮＲ、パスロス、干渉電力、全干渉プラス雑音、ＲＳＳＩ、雑音電力、等）、セル検出又は識別、ビーム検出又は識別、システム情報の読み取り（例えば、ＭＩＢ及び／又は１つ以上のＭＩＢの取得等）、セルグローバルＩＤ（ＣＱＩ）の取得、ＲＬＭ、チャネル・アベイラビィティ（例えば、チャネルがＣＳＭＡ類似又はＬＡＡ類似の方式に基づいてアクセスされる場合）、負荷推定又は負荷測定、チャネル占有測定、ＣＳＩ等である。ＣＳＩ測定値の例は、ＣＱＩ、ＰＭＩ、ＲＩ、ＣＲＩ等である。
【００５７】
通信条件は更に、第１の伝送の受信と当該第１の伝送に応じたそれに続く第２の伝送の送信とを含む通信メカニズムに関与する２つのノード間の、距離及び速度差のうちの１つまたは両方を含んでもよい。
【００５８】
無線通信ネットワークは、セルラネットワークであってもよく、通信条件は、第１の伝送の受信と当該第１の伝送に応じたそれに続く第２の伝送の送信とを含む通信メカニズムに関与するノードの１つ又は両方が配置されたセルのセル範囲を含んでもよい。
【００５９】
通信条件は更に、第１の伝送の受信と当該第１の伝送に応じたそれに続く第２の伝送の送信とを含む通信メカニズムに関与する２つのノード間の通信に関連付けられた時間的特性を含んでもよい。このように、１つ以上の通信条件と関連付けられた情報は、到着時間、タイミングアドバンス、ラウンドトリップ遅延時間、参照信号の時間差、同期信号の時間差、Ｒｘ−Ｔｘ時間差、及び伝搬遅延、のうちの１つ以上を含んでもよい。
【００６０】
本明細書に記載の概念によれば、選択プロセスは、１つ以上の測定結果を考慮に入れうる。測定は、例えば、１つ以上の無線測定でありうる。他の例では、測定は、統計的な測度（例えば、誤り／失敗／成功の動作の確率）の評価でありうる。測定結果は、１つ以上の測定の結果を含んでもよく、即ち、処理済みの値への異なる測定値の処理も、測定結果を生成する。
【００６１】
相対的タイミングの選択肢に関連して、第１の伝送の受信と第２の伝送の送信との間の時間差又は応答時間ΔＴに関連するタイミング関係が存在してもよい。当該タイミング関係は、例えば、（例えば秒単位で測定された）物理時間として、シンボルの（１つ以上の）部分の数として、（１つ以上の）時間スロットの数として、（１つ以上の）サブフレームの数として、（１つ以上の）スロットの数として、（１つ以上の）無線フレームの数として、（１つ以上の）ＴＴＩの数として、（１つ以上の）インタリービング時間の数として与えられた、時間リソースの数を単位とした、任意の適切な及び所望の方法で表されうる。
【００６２】
本明細書に記載の概念によれば、選択された相対的タイミングの選択肢は、第１の伝送の受信と当該第１の伝送に応じたそれに続く第２の伝送の送信とを含む、それぞれの通信メカニズムに該当する、異なる複数のタイプの通信のグループに対して、同様に適用されうる。
【００６３】
例えば、第１のタイプの通信は、データ伝送の受信に応じたＨＡＲＱフィードバックの送信に関連してもよく、第２のタイプの通信は、データ又は参照信号伝送の受信に応じたＣＳＩフィードバックの送信に関連してもよく、第３のタイプの通信は、リソース割り当ての受信に応じたデータの送信に関連してもよい。例えば、無線ノードにおける第１の信号の受信と当該無線ノードによる第２の信号の送信との間の同じタイミング関係が、一緒にグループ化された全てのタイプの応答に対して（例えば、ＨＡＲＱ、ＣＳＩ、ＵＬデータ伝送等に対して）適用されてもよい。
【００６４】
そのようなグループの定義は、任意の適切な又は所望の方法で行われてよく、例えば、第１の伝送の受信と当該第１の伝送に応じたそれに続く第２の伝送の送信とを含む通信メカニズムの定義を満たす、全てのタイプの通信をカバーしてもよい。ただし、相対的タイミングの選択肢の共通のアプリケーションに対して、より小さいグループを定義することも可能であり、例えば、ノードにおける第１の信号の受信と当該ノードによる第２の信号の送信との間のタイミング関係が、少なくとも、同時に送信されるタイプの応答信号に対して（例えば、同時に又は同じチャネル／無線リソースで送信された場合のＨＡＲＱ及びＣＳＩに対して）同じであってもよい。
【００６５】
ただし、本明細書に記載の概念によれば、相対的タイミングの選択肢の選択は、第１の伝送の受信と当該第１の伝送に応じたそれに続く第２の伝送の送信とを含む、それぞれの通信メカニズムに該当する、異なる複数のタイプの通信のグループに対して異なっていてもよい。言い換えれば、データ伝送の受信に応じたＨＡＲＱフィードバックの送信に関連する第１のタイプの通信、データ又は参照信号伝送の受信に応じたＣＳＩフィードバックの送信に関連する第２のタイプの通信、及びリソース割り当ての受信に応じたデータの送信に関連する第３のタイプの通信についての上記の例との関連で、個別の相対的タイミングの選択（及び場合によっては、対応する個別のタイミング関係）が、それぞれの個別のタイプの通信に対してなされてもよい。
【００６６】
以下では本明細書に記載の概念の更なる例について説明する。
【００６７】
受信ノードの例
第１の伝送の受信と当該第１の伝送に応じたそれに続く第２の伝送の送信とを含む通信メカニズムに関与し、かつ、第１の伝送の受信ノードとして機能するノード（以下では「受信ノード」と称する）では、以下のような方法が適用されうる。
【００６８】
●ステップ０（オプション）：フレキシブルな応答伝送時間及び／又はメカニズムのサポートに関連する、受信ノードの能力を、他のノードに知らせる。
●ステップ１：応答（例えば、フィードバック）が送信される必要がある１つ以上の無線信号／チャネルを受信又は期待する時間を判定する。
●ステップ２：１つ以上の通信条件（例えば、ヌメロロジー、キャリア周波数、セル範囲、測定、及び閾値又は条件のうちの１つ以上）に依存して、例えば対応する応答伝送時間又はメカニズムに関連付けられた、複数の相対的タイミングの選択肢から１つを選択する。
●ステップ２ａ（オプション）：選択された選択肢を他のノードに知らせる。
●ステップ３：選択された選択肢に基づいて、少なくとも１つのフィードバックを他の無線ノードへ送信する。
【００６９】
以下では、ステップ０−３についての異なる可能性について説明する。
【００７０】
ステップ０
このステップでは、受信ノードは、フレキシブルな応答伝送時間及び／又はメカニズムのサポートに関連する受信ノードの能力を、他のノード（例えば、ＵＥ、無線ネットワークノード、コアネットワークノード）に知らせる。
【００７１】
更なる実施形態では、当該能力は、更に、受信ノードによってサポートされている応答伝送時間又はメカニズムのオプションを含みうるか又は示しうる。
【００７２】
当該能力は、他のノードからの要求に応じて、又は要求されない方法で、例えば、トリガ条件、イベント、他のノードからのトリガメッセージの受信等に応じて提供されてもよい。
【００７３】
ステップ１
このステップでは、受信ノードは、応答が送信される必要がある１つ以上の無線信号／チャネルを受信又は期待する時間を判定しうる。例えば、時間リソース＃Ｋ（例えば、サブフレーム＃Ｎ及び／又はシンボル＃Ｍ）で信号／チャネルが受信される。
【００７４】
判定は、例えば実際の受信時間、スケジューリング情報、予め定義されたルール等に基づいてなされうる。
【００７５】
ステップ２
このステップでは、受信ノードは、ヌメロロジー、キャリア周波数、カバレッジレベル、セル範囲、測定、及び閾値又は条件のうちの１つ以上に直接的又は間接的に依存して、複数の相対的タイミングの選択肢（例えば、フィードバック伝送時間又はメカニズム）から１つを選択しうる。上記のパラメータ及び／又は選択方法のいずれかは、例えば、以下に基づいて取得されうる。
●測定値
●予め定義されたルール
●履歴
●統計値
●他のノードからのメッセージ又は設定
【００７６】
複数の相対的タイミングの選択肢の一例は、以下のものを含む。
‐ショート遅延（いわゆる早い応答） 例えば、時間リソースＫ＋１で送信されたリソース
‐ロング遅延（いわゆる遅い応答） 例えば、時間リソースＫ＋４で送信されたリソース
【００７７】
複数のリソース伝送時間の他の例は、以下のものを含む。
‐ショート遅延（いわゆる早い応答）例えば、時間リソースＫ＋１で送信されたリソース
‐中間遅延（いわゆる中程度の応答） 例えば、時間リソースＫ＋３で送信されたリソース
‐ロング遅延（いわゆる遅い応答） 例えば、時間リソースＫ＋６で送信されたリソース
【００７８】
複数のフィードバック伝送メカニズムＭiのの一例は、例えば、以下のもののいずれか２つ以上を含む。
‐ＤＬヘビースロット（同一スロット又は近いうちのスロット）の最後で送信される早期ＡＣＫ／ＮＡＣＫフィードバックチャネル
‐代替のフィードバックは、ＵＬスロットにおけるより長い伝送期間で送信される他のフィードバックメカニズムである
‐レガシー類似のフィードバック（例えば、相対的に長いフィードバック）
【００７９】
他の実施形態では、受信ノードは、他のノード（例えば、応答を受信する予定のノード、又は他のＵＥ、無線ネットワークノード、又はコアネットワークノード）に対して、選択された選択肢、例えば、フィードバック伝送時間及び／又はメカニズムを、知らせてもよい。このインジケーションは、例えば、要求に応じたものであってもよいし、条件又はイベントのトリガに応じたものであってもよい。
【００８０】
例えば、以下のものの１つ又は任意の組み合わせが適用されうる：
【００８１】
●第１の選択肢、例えば、第１の応答伝送時間及び／又はメカニズムが、ヌメロロジーの第１のセットに含まれるヌメロロジーに対して選択されてもよく、第２の選択肢、例えば、第２の応答伝送時間及び／又はメカニズムが、ヌメロロジーの第２のセットに含まれるヌメロロジーに対して選択されてもよく、例えば、
〇より早い応答（メカニズム）が、第１の閾値を下回る、受信及び／又はフィードバックのサブキャリア間隔に対して選択されうる。
〇より遅い応答（メカニズム）が、第２の閾値を上回る、受信及び／又は応答のサブキャリア間隔に対して選択されうる。
なお、実装に依存に依存して、逆も起こりうる。即ち、より早い応答（メカニズム）が、第１の閾値を上回る、受信及び／又はフィードバックのサブキャリア間隔に対して選択されうるとともに、より遅い応答（メカニズム）が、第２の閾値を下回る、受信及び／又は応答のサブキャリア間隔に対して選択されうる。
【００８２】
●第１の選択肢、例えば、第１の応答伝送時間及び／又はメカニズムが、キャリア周波数の第１のセットに含まれるキャリア周波数に対して選択されてもよく、第２の選択肢、例えば、第２の応答伝送時間及び／又はメカニズムが、キャリア周波数の第２のセットに含まれるキャリア周波数に対して選択されてもよく、例えば、
〇より早い応答（メカニズム）が、第１の閾値を下回る、受信及び／又は応答のキャリア周波数で送信されうる。
〇より遅い応答（メカニズム）が、第２の閾値を上回る、受信及び／又は応答のキャリア周波数で送信されうる。
【００８３】
●第１の選択肢、例えば、第１の応答伝送時間及び／又はメカニズムが、セル範囲の第１のセットに含まれるセル範囲に対して選択されてもよく、第２の選択肢、例えば、第２の応答伝送時間及び／又はメカニズムが、セル範囲の第２のセットに含まれるセル範囲に対して選択されてもよく、例えば、
〇セル範囲の第１のセットが、閾値を下回るセル範囲を含み、かつ、セル範囲の第２のセットが、閾値を上回るセル範囲を含む場合。
【００８４】
●第１の選択肢、例えば、第１の応答伝送時間及び／又はメカニズムが、第１の測定結果に対して選択されてもよく、第２の選択肢、例えば、第２の応答伝送時間及び／又はメカニズムが、第２の測定結果に対して選択されてもよく、例えば、
〇第１の測定結果は、受信信号強度又は品質が閾値を上回り、及び／又は、タイミング測定値が閾値を下回ることであり、第２の測定結果は、受信信号強度又は品質が閾値を下回り、及び／又は、タイミング測定値が閾値を上回ることである。
〇第１の測定結果は、チャネル・アベイラビィティが閾値を上回ることであり、第２の測定結果は、チャネル・アベイラビィティが閾値を下回ることである。
〇第１の測定結果は、負荷が閾値を上回ることであり、第２の測定結果は、負荷が閾値を下回ることである。
【００８５】
●より具体的には、一例において、受信ノードは、他のノードに対するパスロスがパスロス閾値を下回り、かつ、無線ノードと他の無線ノードとの間の伝搬遅延も伝搬遅延閾値を下回る場合に、第１の選択肢（例えば、第１の応答伝送時間及び／又はメカニズム）を選択してもよく、それ以外の場合には、無線ノードは、第２の選択肢（例えば、第２の応答伝送時間及び／又はメカニズム）を選択してもよい。パスロス閾値及び伝搬遅延閾値は、予め定義されていてもよいし、又は制御ノードによって無線ノードにおいて設定されてもよい。制御ノードは、受信ノードによる応答の送信先である他の無線ノードであってもよい。
【００８６】
●更に他の例では、受信ノードが、選択肢（例えば、応答伝送時間及び／又はメカニズム）を選択するために使用される１つ以上の無線測定を信頼性をもって実行できない場合に、受信ノードは、基準選択肢（例えば、基準応答伝送時間及び／又はメカニズム、又は予め定義されたもの）を選択してもよい。測定は、閾値より精度が悪い場合に（例えば、パスロス測定精度が±６ｄＢより悪い場合に）、信頼性がないとみなされてもよい。一例において、基準応答時間は、可能性のある応答時間のうちの最長のものであってもよい。他の例において、基準応答時間は、可能性のある応答時間のうちの中程度の値であってもよい。更に他の例において、基準応答時間は、他のノードによって受信ノードにおいて設定されてもよい。
【００８７】
上記の例において、第１の応答伝送時間及び第２の応答伝送時間は、それぞれ、より短い応答遅延及びより長い応答遅延に対応してもよい。
【００８８】
ステップ３
このステップでは、受信ノードは、選択された選択肢（例えば、応答伝送時間及び／又はメカニズム）に基づいて、少なくとも１つの応答を他の無線ノードへ送信しうる。
当該送信は、物理チャネル（例えば、ＵＬ制御チャネル）を介して応答を送信することを更に含んでもよい。
【００８９】
送信ノードの例
第１の伝送の受信と当該第１の伝送に応じたそれに続く第２の伝送の送信とを含む通信メカニズムに関与し、かつ、第１の伝送の送信ノードとして機能するノード（以下では「送信ノード」と称する）では、以下のような方法が適用されうる。
【００９０】
●ステップ０（オプション）：フレキシブルな応答伝送時間及び／又はメカニズムのサポートに関連する、受信ノードのインジケーションを、受信ノードから受信する。
●ステップ1：ヌメロロジー、キャリア周波数、カバレッジレベル、セル範囲、測定、及び閾値又は条件のうちの１つ以上に依存して、複数の相対的タイミングの選択肢（例えば、受信ノードについてのフィードバック伝送時間又はメカニズム）から１つを選択する。
●ステップ２（オプション）：例えば、フィードバック伝送時間及び／又はメカニズムと関連付けられた、複数の相対的タイミングの選択肢についての受信ノードの選択を、選択結果に基づいて制御する。
●ステップ３（オプション）：リソーススケジューリング、又は応答伝送に関連する及び／又は応答が送信されるべき無線信号／チャネルについての少なくとも１つのパラメータを、選択結果に基づいて適応させる。
●ステップ４：１つ以上の応答を、選択結果に基づいて受信ノードから受信する。
【００９１】
以下では、ステップ０−４についての異なる可能性について説明する。
【００９２】
ステップ０
このステップでは、送信ノードは、フレキシブルな応答伝送時間及び／又はメカニズムのサポートに関連する、受信ノードのインジケーションを、受信ノードから受信しうる。受信ノードの実施形態についてのこれまでの記載におけるステップ０も参照されたい。
【００９３】
受信された能力情報は、例えば、選択された相対的タイミングの選択肢（例えば、フィードバック伝送時間及び／又はメカニズム）が受信ノードによってサポートされるようにするために、次のステップで更に使用されてもよい。
【００９４】
ステップ１
このステップでは、送信ノードは、ヌメロロジー、キャリア周波数、カバレッジレベル、セル範囲、測定、及び閾値又は条件のうちの１つ以上に依存して、複数の相対的タイミングの選択肢（例えば、受信ノードについてのフィードバック伝送時間又はメカニズム）から１つを選択しうる。
【００９５】
選択の方法、原理及びルールは、受信ノードについて記載したものと同様でありうる。
【００９６】
加えて、選択は、受信ノードから受信された測定結果、及び／又は（例えば、受信ノードによる無線伝送に基づいて）送信ノードにおいて得られた測定結果に基づいてもよい。
【００９７】
ステップ２
このステップでは、送信ノードは、複数の相対的タイミングの選択肢（例えば、フィードバック伝送時間及び／又はメカニズム）についての受信ノードの選択を、選択結果に基づいて制御しうる。これは、任意の適切な又は所望のタイプの制御メッセージにより、例えばＤＣＩ（下りリンク制御情報）を介して行われもよい。同様に、制御メッセージは、例えば、準静的に設定された、ＲＲＣ（無線リソース制御）メッセージであってもよい。ＲＲＣ及びＤＣＩシグナリングが組み合わせて使用されてもよく、例えば、ＲＲＣ制御メッセージが、（例えば、他のノードの能力を考慮した）可能性のある値のセットを設定し、ＤＣＩ制御メッセージが、設定されたオプションのうちの１つを選択する。
【００９８】
当該制御は、例えば、選択結果に基づいて１つ以上のパラメータを受信ノードに送信することで、送信ノードにおける選択の結果に基づいて受信ノードが相対的タイミングの選択肢（例えば、応答伝送時間及び／又はメカニズム）を選択又は判定できるようにすることを含んでもよい。
【００９９】
ステップ３
このステップでは、送信ノードは、リソーススケジューリング、又は応答伝送に関連する及び／又は応答が送信されるべき無線信号／チャネルについての少なくとも１つのパラメータを、選択結果に基づいて適応させうる。
【０１００】
例えば、より早い応答（例えば、フィードバック又はＵＬ伝送）が選択される場合に、より早いスケジューリングが使用されうる。他の例は、スロット期間の最後においてフィードバックでの伝送が可能になるように、ＤＬ伝送が当該スロット（図１１を参照）において早期に停止しうる。
【０１０１】
ステップ４
このステップでは、送信ノードは、１つ以上の応答を、選択結果に基づいて受信ノードから受信しうる。
【０１０２】
本明細書に記載の概念は、ノードは、第１の伝送の受信と当該第１の伝送に応じたその後の第２の伝送の送信とを含む、任意の通信メカニズムとの関連で用いられうる。好適な実施形態によれば、本概念は、ＮＲ又は５Ｇアーキテクチャの導入との関連で適用され、その態様について以下で説明する。
【０１０３】
ＮＲ（いわゆる、５Ｇ又は次世代又はＮｅｗ Ｒａｄｉｏ）アーキテクチャが、３ＧＰＰにおいて議論されており、図８には現在の概念が図示されており、ｅＮＢは、ＬＴＥのｅＮｏｄｅＢを示し、ｇＮＧは、ＮＲ基地局（ＮＲ ＢＳ）（１つのＮＲ ＢＳが、１つ以上の送信／受信ポイントに対応しうる）を示し、ノード間の線は、３ＧＰＰにおいて議論されている、対応するインタフェースを示す。更に、図９は、３ＧＰＰにおいて議論されているＮＲ ＢＳでの展開シナリオを示す。
【０１０４】
ＮＲ無線フレーム構成が、ＮＲのために議論されている。しかし、時間及び／又は周波数で多重化される多重ヌメロロジー（multiple numerologies）が、ＮＲにおいてサポートされることが既に合意されている。更に、無線フレームは、異なる数の、より小さな時間単位（例えばシンボル）で構成されうる。
【０１０５】
ＬＴＥでは、「ヌメロロジー」との用語は、例えば、以下の要素を含み、フレーム期間、サブフレーム又はＴＴＩ期間、スロット期間、サブキャリア間隔、サイクリックプレフィックス長、ＲＢごとのサブキャリア数、帯域幅内のＲＢ数、を含む（異なるヌメロロジーは、同じ帯域幅内において異なる数のＲＢをもたらしうる）。
【０１０６】
異なる無線アクセス技術におけるヌメロロジー要素についての厳密な値は、典型的には、性能目標によって動かされ、例えば、性能要求条件は、使用可能なサブキャリア間隔のサイズに対して制約を課し、例えば、許容可能な最大の位相雑音が、最小のサブキャリア帯域幅を設定する一方で、（フィルタリングの複雑度及びガードバンドのサイズに影響する）スペクトルの緩やかな減衰が、所与のキャリア周波数に対してより小さなサブキャリア間隔を有利にし、
所要のサイクリックプレフィックスが、オーバヘッドを低く維持するために、所与のキャリア周波数に対して最大のサブキャリア帯域幅を設定する。
【０１０７】
しかし、既存のＲＡＴにおいてこれまで使用されていたヌメロロジーは、かなり静的であり、典型的にはＵＥによって自明に（例えば、ＲＡＴ、周波数帯域、サービスタイプ（例えばＭＢＭＳ）等に対する一対一のマッピングによって）導出できる。
【０１０８】
ＯＦＤＭベースのＬＴＥ下りリンクにおいては、サブキャリア間隔は、ノーマルＣＰについては１５ｋＨｚであり、拡張ＣＰについては１５ｋＨｚ及び７．５ｋＨｚ（即ち、低減されたキャリア間隔）であり、後者はＭＢＭＳ専用のキャリアに対してのみ許可されている。
【０１０９】
同一又は異なるＵＥに対して周波数領域及び／又は時間領域において多重化されうる、多重ヌメロロジーのサポートが、ＮＲのために合意されている。
【０１１０】
ＮＲでは、ＯＦＤＭをベースとしており、一般的な動作用に多重ヌメロロジーがサポートされる。ＮＲ用のサブキャリア間隔の候補を導出するために（スケーリング係数２＾ｎに基づく）スケーリングアプローチが検討されている。現在検討されているサブキャリア帯域幅の値は、とりわけ３．７５ｋＨｚ、１５ｋＨｚ、３０ｋＨｚ、６０ｋＨｚを含む。また、ヌメロロジー固有のスロット期間が、サブキャリア間隔に基づいてｍｓ単位で決定されうる。（２m＊１５）ｋＨｚのサブキャリア間隔は、１５ｋＨｚヌメロロジーにおいて、ｘ ｍｓのスロットについて１／２m Ｘ ｍｓを与え、Ｘは例えば０．５又は１でありうる。
【０１１１】
少なくとも最大４８０ｋＨｚのサブキャリア間隔が、ＮＲ用に現在検討されている（検討されている最大値はミリ波ベースの技術に対応する）。同一のＮＲキャリア帯域幅内で異なるヌメロロジーを多重化することをサポートすることも合意され、ＦＤＭ及び／又はＴＤＭ多重化が検討されうる。更に、異なるヌメロロジーを使用する複数の周波数／時間部分が同期信号を共有することが合意され、同期信号は、信号自体及び同期信号の送信に用いられる時間‐周波数リソースを参照する。更に他の合意は、非常に小さいサブキャリア間隔は非常に高いキャリア周波数においては使用されないことが想定されるが、使用されるヌメロロジーが、周波数帯域とは独立して選択可能であることである。図１０には、周波数及びセル範囲に関していくつかの候補キャリア間隔が図示されている。表１には、いくつかの候補キャリア間隔についての対応する期間の詳細が提供されている。
【０１１２】
2019537291.tif 000003
【０１１３】
ＡＣＫ／ＮＡＣＫフィードバックは、例えばＬＴＥでは、対象となる受信ノードによって、伝送が正常に受信された又は受信されなかったことを送信ノードに通知するために使用される。ＡＣＫ／ＮＡＣＫは、ＵＥによるＤＬに応じて（ＵＬ制御チャネル又はデータチャネルを介して）送信されうるか、又はＵＬ応じてｅＮＢによって（ＰＨＩＣＨを介して）それぞれ送信されうる。ＵＬでＵＥによって送信されるＨＡＲＱフィードバックでは、一般に、
ＦＤＤについては、ＵＥがサブフレームｎにおけるＤＬ受信用のサブフレーム（ｎ＋４）でフィードバックを送信することが想定される。ＴＤＤについては、関係が同様に予め定義されるがＴＤＤ設定に依存する。ＨＤ−ＦＤＤでは、ＵＥにおけるデータの受信と上りリンクでのＨＡＲＱ Ａ／Ｎの送信との間のタイミング関係も、例えばＮＢ−ＩｏＴにおいて予め定義され、ＡＣＫ／ＮＡＣＫはサブフレームｎ＋１２で送信される。
【０１１４】
ＮＲ（又は少なくともいくつかの構成／設定）について、重要な機能要求条件の１つは、レイテンシの低減であり、これは例えば、より早期のフィードバックも示唆しうる。より早期のフィードバックを実現するいくつかのソリューションが検討された。
【０１１５】
例えば、スロットの期間内にＤＬで送信されるトランスポートブロックのＡＣＫ／ＮＡＣＫフィードバックは、同じスロットの最後で既に送り返された可能性があり（図１１を参照）、ここで、Ｔprocは、ＵＥの処理時間（ＵＥにおいてＡＣＫ／ＮＡＣＫを復号して用意するのに必要とされる時間）、Ｔpは、伝搬時間である。サイクリックプレフィックスを含む１つのＯＦＤＭシンボルは、Ｔsの長さである。なお、早期ＡＣＫ／ＮＡＣＫフィードバックのより遅いバージョンも３ＧＰＰで議論されており、図１１に図示されるＵＬスロットは、現在のスロットにおけるＤＬＡＣＫ／ＮＡＣＫフィードバックを含まないが過去のスロットのものを含む。
【０１１６】
図１１は、ＡＣＫ／ＮＡＣＫフィードバックを最後に有するＤＬヘビースロットを示している。ＤＬの最後とＵＬの最初との間の期間は、ＵＥの処理時間によって決定される。ＵＥにおいて必要とされる処理時間を含むＵＬチャネル構成を適合させるためには３ＯＦＤＭシンボル期間が必要とされる。 
【０１１７】
ＮＲキャリアがＬＴＥ ＴＤＤキャリアと同じ帯域内に干渉に起因して配置される場合、ＵＬ−ＤＬはアラインされなければならず、ＬＴＥはマッチング・フレーム構成を有しないため図１１に示されるようなＡＣＫ／ＮＡＣＫフィードバックは使用できない。この場合、代替のＡＣＫ／ＮＡＣＫフィードバック構成が使用されなければならない。代替のＡＣＫ／ＮＡＣＫフィードバック構成は、例えばスケジューリングされたリソースに基づく、より「規則的な（regular）」ＵＬ伝送に似ている（図１２を参照）。図１２には、両方のＡＣＫ／ＮＡＣＫフィードバックメカニズムが示されている。より具体的には、図１２では、最初の２つの伝送が、当該伝送の最後にすぐに生じるＡＣＫ／ＮＡＣＫフィードバックによって確認応答されている。最後の伝送は、より「規則的な」ＵＬ伝送で送信されるフィードバックによって確認応答されており、ＬＴＥとの共存が要求される場合により適している。
【０１１８】
第２の伝送を送信するための相対的タイミングを、複数の所定の相対的タイミングの選択肢から選択するための選択プロセスを実行する、本明細書に記載の概念は、上記のシナリオにおいて有利に適用可能である。言い換えれば、第２の伝送を送信するための相対的タイミングを、複数の所定の相対的タイミングの選択肢から選択するための選択プロセスを実行する構成を、ノードに提供することによって、ノードをよりフレキシブルにすることができ、これは、それにより、例えば、第１の相対的タイミングの選択肢と同じスロットの最後における早期フィードバックと、後続のスロットにおいてスケジューリングされたリソースでの「規則的な」ＵＬ伝送との間で、選ぶことができるためである。
【０１１９】
図１３、図１４及び図１５は、本明細書に記載の概念が有利に適用されうる他のタイプのシナリオを示している。図１３、図１４及び図１５のシナリオでは、アクセスノード（例えばｅＮＢ）は、特定の期間においてＵＬ伝送を送信するためのリソースをエンドノード（例えばＵＥ）に与える第１の伝送（同図においてＤＬ ｃｔｒｌ）を送信する（リソーススケジューリング）。同じスロットにおいて応答が送信される場合、ＵＥは、伝搬遅延を考慮して、ＵＬ伝送が次の伝送（同図においてＤＬ）の前にｅＮＢによって受信されるようにＵＬ伝送を送信しなければならない。ＵＥによって送信される最後のシンボルは、ＤＬ伝送が再び始まる直前に受信される。ＵＥは、スケジューリングされたリソースグラントの範囲内でＵＬ伝送の全シンボルを送信するためには、伝送を可能な限り早く開始する必要がある。
【０１２０】
図１３は、（例えばスモールセルにおいて、基地局からＵＥまでの距離が短いことにより）アクセスノードとエンドノードとの間の通信の伝搬遅延（及び、ひいてはタイミングアドバンス）が低減されるリソーススケジューリングシナリオを示している。このシナリオでは、ＵＥは、ＤＬ伝送をスケジューリングするリソースを受信する。ＵＥは、受信した情報を処理し、ＵＬ伝送を準備する。ＵＥは、ＵＬ伝送が適切な時間にｅＮＢによって受信されるように、伝搬遅延又はタイミングアドバンスを考慮に入れて、ＤＬ伝送を開始する。図１３のシナリオでは、ＵＥは、ＵＬ伝送の全てのシンボルが、スケジューリングされたリソースグラントの期間内にｅＮＢによって受信されるように、ＤＬ伝送をスケジューリングするリソース（ＤＬ ｃｔｒｌ）を処理し、かつ、ＵＬ伝送を開始するための十分な時間を有している。言い換えれば、ＵＥにおけるＤＬ ｃｔｒｌの受信とＵＬ伝送の開始との間の時間は、ＵＥがＵＬ伝送の送信を処理、準備及び開始するために必要とされる時間より長い。
【０１２１】
図１４は、アクセスノードとエンドノードとの間の通信の伝搬遅延（及び、ひいてはタイミングアドバンス）が大きいリソーススケジューリングシナリオを示している。このシナリオでは、ＵＥは、ＤＬ伝送をスケジューリングするリソースを受信したが、ＵＬ伝送の全てのシンボルが、スケジューリングされたリソースグラントの期間内にｅＮＢによって受信されるように、ＵＬ伝送を開始する必要があるタイミングより前に、情報を処理してＵＬ伝送を準備するための十分な時間を有していない。
【０１２２】
図１５は、図１４で直面した課題に対する可能性のあるソリューションを示している。図１５では、ＵＬ伝送が、ＵＬ伝送がｅＮＢによって適切に受信されることを可能にしうる次の適切な時間まで遅らせられる（及び短縮される）。図１５のシナリオにおけるソリューションの欠点は、大きなオーバヘッドが生成される点であり、それにより、より長い期間にわたってチャネルが使用されなくなる。代替案は、必要に応じて、リソースグラントが１つ以上の追加のスロット又はシンボルにおいて有効となるように、ＵＬ伝送用にＵＥに与えられたリソースの期間を調整することである。この場合、ＤＬ伝送は、より遅いスロット又はシンボルにおいて再開しうる。
【０１２３】
図示されたシナリオは、タイミングアドバンス又はセルサイズを、選択プロセスが相対的タイミングの選択肢を選択できるかに基づいて通信条件として使用する方法を示している。例えば、ＴＡが小さい場合、選択プロセスは、例えば図１３に示されるような早期の上りリンクリソースを選択するように構成されうるのに対して、ＴＡが所定の限界を超える場合、選択プロセスは、例えば図１２又は図１５に示される代替のメカニズムと同様の、より遅い相対的タイミングの選択肢を選択するように構成されうる。
【０１２４】
以下では、更なる技術的態様が開示される。
【０１２５】
Ｉ．ＮＲのための無線リソース管理（ＲＲＭ）要求条件について、以下が開示される：
【０１２６】
考察
多重ヌメロロジー
［１］において、ＲＡＮ４は以下を合意している：
〇ＲＡＮ１／２／３の８月ミーティングラウンドにおいて行われた決定を評価し、将来のＲＡＮ４ ＲＲＭ要求条件及び試験に対して起こりうる影響を調査。トピックは以下を含みうる：
■...
■ＮＲ用の測定ギャップ
■以下からのＲＲＭ要求条件に対する影響：
●...
●サブキャリア間隔及び多重ヌメロロジーの柔軟性
●...
【０１２７】
このセクションでは、［１］のＷＦからの強調されたトピックを更に検討する。
ＲＡＮ１＃８６では、ヌメロロジーに関係する以下の新たな合意が達成された：
●ＮＲヌメロロジー・スケーラビリティは、少なくとも［３．７５ｋＨｚ］から４８０ｋＨｚまでのサブキャリア間隔を可能にすべきである。
●仕様は、ＵＥの観点から（複数の）サブフレーム期間の範囲内に／にわたって、ＴＤＭ及び／又はＦＤＭでのヌメロロジーの多重化をサポートする。
●ＵＥは、所与のＮＲキャリアについてのサブフレーム期間を定める、所与のＮＲキャリアにおける１つの参照ヌメロロジーを有する。
【０１２８】
上記から、ＮＲにおけるヌメロロジーの数が、数個のオプションだけに限定されないことは明らかである。これは、他の要素（例えば、帯域幅）と組み合わせて、ヌメロロジーごとの又はヌメロロジーを伴う組み合わせごとにＲＲＭ要求条件を明示的に規定することを不可能にしうる。代替案は、類似のヌメロロジーのグループについてＲＲＭ要求条件を規定することでありうる。時間関連のＲＲＭ要求条件（例えば、ハンドオーバ遅延、測定期間等）については、要求条件は、当該要求条件又はその一部がヌメロロジーによりスケーリングする場合に、より一般的な方法でも規定されうる（例えば、ＲＳ密度がスケーリングしない又はＵＬ／ｇＮＢ処理時間がスケーリングしない場合、これは必ずしも常に可能であるとは限らない）。
【０１２９】
●提案１：例えば、要求条件又はその一部がヌメロロジーによりスケーリングする場合に、ＲＲＭ要求条件においてヌメロロジーをグループ化するか、又はヌメロロジーに関して一般的な方法で要求条件を規定することを検討する。
【０１３０】
ヌメロロジーは、一方ではＮＲにおいて周波数又は時間で変化しうるが、他方では、全てのＵＥが、全てのヌメロロジーをサポートしていないか、又は、おそらくは少なくともいくつかの時間‐周波数リソースにおけるヌメロロジー又は少なくとも基本的な信号についてのヌメロロジーが、より静的である。
【０１３１】
●提案２：ＲＲＭ要求条件の最小セットが、全ての又は少なくとも一部の時間リソースにおいて同一の、静的に定義されたヌメロロジーを有するシナリオに対して定義される必要があり、これは少なくとも開始点であるべきである。次に、動的又は混合のヌメロロジーを有するシナリオに対する要求条件が、補完的な方法で規定されるべきである。
【０１３２】
ヌメロロジーは、時間関連の要求条件に影響を与える
多重ヌメロロジーのサポート及び異なるヌメロロジーの時間及び／又は周波数領域における多重化は、時間関連の態様（例えば、時間におけるタイミング調整量、精度、タイミング調整遅延）に対しても影響を有しうる。また、サブフレーム長の依存性に加えて、（ＬＴＥでは、３６．２１１において規定されたＴｓに対応する）時間スロットさえも、ＮＲではもはや単一の値ではない可能性がある。
【０１３３】
●見解１：タイミング関連の要求条件がヌメロロジーに依存する
多重ヌメロロジーのサポートに対して同様に考慮される必要がある他のタイミング関連の態様は、同期シナリオと非同期シナリオとの間の区別であり、これは、いずれの要求条件を適用するか（例えば、異なるヌメロロジー及び対応する時間スケールを使用している同期セルまたは非同期セルのいずれでＵＥが測定を実行するか）を決定する。
【０１３４】
●見解２：ＲＡＮ４は、多重ヌメロロジーが使用される場合に同期動作と非同期動作とどのように区別するかを定義する必要がある。
【０１３５】
異なるヌメロロジーを有するＣＡシナリオ
異なるヌメロロジーを有するキャリアのＣＡが、他のグループ（例えば、ＲＡＮ２＃９５）で検討され、以下が結論付けられた：
●ＲＡＮ２の観点から、異なるヌメロロジーを有するキャリアのアグリゲーションが、ＮＲにおいてサポートされるべきである。（単一のＭＡＣエンティティがＦＦＳであるか複数のＭＡＣエンティティがＦＦＳであるか等のモデリングの態様）
【０１３６】
上記のシナリオは、そのようなキャリアの組み合わせにおいてタイミングをどのように調整するか、及びどのようにＴＡＧを生成するかに影響しうる。起こりうる他の問題は、異なるヌメロロジーに起因して異なる時間スケールを使用するキャリアを用いたキャリア間スケジューリングである。
【０１３７】
●提案３：ＲＡＮ４が異なるヌメロロジーを有するキャリアを用いるＣＡシナリオのＲＲＭの影響を検討する。
【０１３８】
フィードバックメカニズム及びヌメロロジー間スケジューリング
ＬＴＥでは、いくつかのＤＬ伝送とＵＬ伝送との間に予め定義された厳密な時間関係が存在する。例えば、ＵＬでＵＥによって送信されるＨＡＲＱフィードバックでは、一般に、ＦＤＤについては、ＵＥがサブフレームｎにおけるＤＬ受信用のサブフレーム（ｎ＋４）でフィードバックを送信することが想定される。ＴＤＤについては、関係が同様に予め定義されるがＴＤＤ設定に依存する。ＨＤ−ＦＤＤでは、ＵＥにおけるデータの受信と上りリンクでのＨＡＲＱ Ａ／Ｎの送信との間のタイミング関係も、例えばＮＢ−ＩｏＴにおいて予め定義され、ＡＣＫ／ＮＡＣＫはサブフレームｎ＋１２で送信される。ＮＲでは、より早いフィードバックメカニズムが検討されており、これは、特定のシナリオでは有利であるが、これらのメカニズムは、ＵＬのヌメロロジー及び場合によってはＤＬのヌメロロジー、カバレッジレベル等に更に依存しうる。最終的には、ＬＴＥ類似のメカニズム及び早期フィードバックメカニズムが、シナリオに依存して、ＮＲにおいてサポートされうる。したがって、ＮＲ用の要求条件においてフィードバックメカニズムが必要となりうる。更には、いくつかの現在のＬＴＥ要求条件は、ＡＣＫ／ＮＡＣＫを単位として測定されるが、複数のフィードバックメカニズムがＮＲにおいてサポートされる場合、ＬＴＥにおいて使用されるようにＮＲにおいてこのメトリックを再利用するだけでは、要求条件に不明確さが生じうる。
【０１３９】
●提案４：複数のフィードバックメカニズムのサポートがＮＲ要求条件において検討される必要がある。
【０１４０】
測定ギャップ
多くのＬＴＥ要求条件は測定ギャップを考慮しており、これはＮＲにおいても同様に生じうる。ＬＴＥでは、ＵＥ測定ギャップのために６ｍｓの単一の期間がこれまでに標準化されている。更に、測定ギャップは全てのキャリア周波数に対して共通である。ＮＲでは、異なる複数のヌメロロジーがサポートされ、ヌメロロジーとは独立して、単一の予め定義された長さの共通ギャップを使用することは、リソース利用の観点から有効ではない可能性がある。更に、例えば帯域幅の中心に関してアラインされていない伝送に起因して、周波数間の測定ギャップさえも必要とされる可能性がある。
【０１４１】
●提案５：ＮＲでは、よりフレキシブルな測定ギャップ構成が必要である。
【０１４２】
ビームフォーミング
［１］では、ＲＡＮ４は以下を合意した：
〇ＲＡＮ１／２／３の８月ミーティングラウンドにおいて行われた決定を評価し、将来のＲＡＮ４ ＲＲＭ要求条件及び試験に対して起こりうる影響を調査。トピックは以下を含みうる：
■ビーム管理測定のための必要なメトリック及び要求条件
■...
■以下からのＲＲＭ要求条件に対する影響：
● ...
●アンテナ構成、例えば、ビームフォーミング及び無指向性アンテナに基づく測定に対して要求条件が同一であるか異なるか、及びビームフォーミング関連の要求条件の異なる周波数範囲に対する適用可能性。
●...
■ＮＲビームフォーミング技術の影響、及び例えばアナログ、デジタル又はハイブリッドビームフォーミングをカバーする一般的な要求条件をどのように規定するか。
■...
【０１４３】
上記で強調されたトピックを以下のセクションで更に検討する。
いくつかの関連するＲＡＮ１合意：
合意：ビーム管理＝ＤＬ及びＵＬ送信／受信のためにお使用されうる（複数の）ＴＲＰ及び／又はＵＥビームのセットを取得及び管理するためのＬ１／Ｌ２手順のセット、これらは少なくとも以下の態様を含む：
ビーム判定＝（複数の）ＴＲＰ又はＵＥが独自の（複数の）Ｔｘ／Ｒｘビームを選択するため。
ビーム測定＝（複数の）ＴＲＰ又はＵＥが受信されたビームフォーミング済み信号の特徴を測定するため。
ビーム報告＝ＵＥが、ビーム測定に基づいて（複数の）ビームフォーミング済み信号の特性／品質の情報を報告するため。
ビーム掃引＝所定の方法で時間間隔の期間内に送信及び／又は受信されたビームで、空間的領域をカバーする動作
【０１４４】
合意：以下のＤＬ Ｌ１／Ｌ２ビーム管理手順が、１つ又はマルチＴＲＰ内でサポートされる：
●Ｐ−１：ＴＲＰ Ｔｘビーム／（複数の）ＵＥ Ｒｘビームの選択をサポートするための異なるＴＲＰ Ｔｘビームに対するＵＥ測定を可能にするために使用される
〇ＴＲＰにおけるビームフォーミングでは、典型的には、異なる複数のビームのセットからのＴＲＰ間／ＴＲＰ内のＴｘビーム掃引を含む
〇ＵＥにおけるビームフォーミングでは、典型的には、異なる複数のビームのセットからのＵＥ Ｒｘビーム掃引を含む
〇ＦＦＳ：ＲＴＰ Ｔｘビーム及びＵＥ Ｒｘビームが一緒に又は順に判定されうる。
【０１４５】
●Ｐ−２：場合によってはＴＲＰ内／ＴＲＰ間の（複数の）ビームを変化させるための、異なるＴＲＰ Ｔｘビームに対するＵＥ測定を可能にするために使用される
〇Ｐ−１におけるよりも小さい、ビーム微調整のための可能性のあるビームセットから。
〇注記：Ｐ−２は、Ｐ−１の特別なケースでありうる。
【０１４６】
●Ｐ−３：ＵＥがビームフォーミングを使用する場合にＵＥ Ｒｘビームを変化させるための、同一のＴＲＰ Ｔｘビームに対するＵＥ測定を可能にするために使用される
【０１４７】
●ＴＲＰ内及びＴＲＰ間のビーム管理のための同一手順の設計の追求
〇注記：ＵＥは、ＴＲＰ内ビームであるかＴＲＰ間ビームであるかを知らない可能性がある。
【０１４８】
●注記：手順Ｐ−２及びＰ−３は、例えば、ＴＲＰ Ｔｘ／ＵＥ Ｒｘビームの同時の変化を実現するために一緒に及び／又は複数回、実行されうる。
●注記：手順Ｐ−３は、物理レイヤ手順の仕様の影響を有する可能性又は有しない可能性がある
●ＵＥ用のマルチＴｘ／Ｒｘビームのペアを管理するサポート
●注記：他のキャリアからの支援情報が、ビーム管理手順において検討されうる
●なお、上記の手順は任意の周波数帯域に適用可能である
●なお、上記の手順はＴＲＰごとに単一／マルチビームに使用可能である
●注記：マルチ／単一ビームベースは、個別のＲＡＮ１の議題項目内で扱われた初期アクセス及びモビリティをベースにした。
【０１４９】
ビーム掃引は、ＮＲにおいて使用されるアンテナ設定の１つであり、例えば予め定義された方法で、送信及び／又は受信機会のアベイラビィティを時間依存にする。アベイラビィティの周波数及び周期性は、ネットワーク及びＵＥの実現を大幅に制限しうるため、単一かつ固定の数になる可能性は低いものの、ビームフォーミングされた測定に基づく手順の期間（例えば、測定期間、測定報告遅延等）を、これらのパラメータに依存させる可能性がある。このため、時間領域におけるビーム掃引なしのビームフォーミングを行うケース又は無指向性のケースは、他の全ての要素が同じである場合に（例えば、同一の信号構成等）、より頻繁な又は連続でさえある（例えば、サブフレームごと）アベイラビィティをもたらす、特別なケースと考えられうる。しかし、時間ベースの要求条件は、ＬＴＥにおけるように、追加の条件（例えば、帯域幅、チャネル条件、干渉等）に依存し、これらの条件の一部は、場合によっては、いくつかのアンテナ設定に対してより典型的であり、かつ、その他に対してより典型ではない可能性があるが、それでも、アンテナ／ビーム設定に対する要求条件の明示的な関係は必要ないと考えられる。
【０１５０】
精度を考えた場合、要求条件は、従来の要素（例えば、測定の目的、測定された信号のタイプ、信号の設計及び密度、帯域幅等）によって決定されるべきではなく、ビーム設定に対して透過的であるべきである。
【０１５１】
●提案６：ＮＲでは、時間ベースの要求条件が、異なるアンテナ設定に対して一般的な方法で規定され、それにより、例えばビーム掃引に起因して、関連するｔｘ及び／又はｒｘビームの時間のアベイラビィティに依存したスケーリングも可能になる。精度の要求条件は、ビーム設定に対して透過的であるべきである。
【０１５２】
参考文献
[1] R4-166735, "Way forward for NR RRM", Ericsson, Nokia, Intel.
【０１５３】
II．ＵＬにおけるＤＬ ＨＡＲＱフィードバック伝送に関して、以下が考えられる：
【０１５４】
序論
これまでに示されたＤＬ ＨＡＲＱフィードバック伝送方式の多くは、（同一のスロット又は以前のスロットのＤＬ伝送に対応するＡＣＫ／ＮＡＣＫを有する）ＤＬヘビースロット期間の最後におけるＤＬ ＡＣＫ／ＮＡＣＫの伝送に注目していた。
いくつかの理由は、追加のフィードバック伝送方式の必要性を示唆しており、例えば、ＤＬヘビースロットの最後におけるＵＬ伝送期間が非常に短く、これはスモールカバレッジを生じさせる。重要なことは、同様の条件においてＮＲカバレッジがＬＴＥカバレッジに適合することであり、それ故に、追加のＤＬ ＨＡＲＱフィードバック伝送方式が必要とされる。ＬＴＥ Ｆｓ２との共存 −ここで、ＮＲ及びＬＴＥは、同一のＵＬ／ＤＬパターンを共有しなければならない− は、追加のフィードバック伝送方式が必要とされる他の理由である。
【０１５５】
考察
ＵＬにおけるＤＬ ＨＡＲＱフィードバック伝送についての大部分のＲＡＮ１の考察では、同一のスロット期間の最後又はそれに続くスロット期間の最後において送信される、早期のＨＡＲＱ ＡＣＫ／ＮＡＣＫフィードバックが記載されている。説明のために図１６を参照されたい。図１６は、ＤＬ ＨＡＲＱフィードバックが、ＤＬヘビースロット期間の最後にどのように送信されるかを（「即時」ＡＣＫ／ＮＡＣＫ）示している。
【０１５６】
ＮＲフレーム構成の考察のありうる結果は、７及び／又は１４シンボルのスロット長である。フィードバックをスロットの最後の小部分にフィットさせるために、ＵＬ伝送は明らかに短い（典型的には、１シンボル又は非常に少ないシンボル）だけでありうる。ヌメロロジーに依存して、１ＯＦＤＭシンボルは６７μｓ／２nを有する。ＬＴＥ類似の配置では、少なくともｎ＝０（１５ｋＨｚ）及びｎ＝１（３０ｋＨｚ）が興味深いオプションである。１又は数ＯＦＤＭシンボルでのフィードバック伝送は、１ｍｓのＬＴＥ ＰＵＣＣＨ伝送期間よりかなり短く、それ故に低減されたカバレッジを有する。ＬＴＥ ＰＵＣＣＨリンクバジェットに適合するために、約１ｍｓの期間で、ＵＬにおいてＤＬ ＨＡＲＱフィードバックを送信可能でなければならない。ｅＮＢにおけるマルチＲＸアンテナの適用は、より短い伝送を可能にするが、同様のｅＮＢアンテナ構成に対してさえもＮＲがＬＴＥカバレッジに適合することが重要であると考える。
【０１５７】
見解１：ＬＴＥ ＰＵＣＣＨリンクバジェットに適合するために、約１ｍｓの期間で、ＤＬ ＨＡＲＱフィードバックを送信可能であるべきである。
【０１５８】
同一の帯域内に配置された場合、ＮＲがＬＴＥ ＦＳ２と共存可能であることが想定される。干渉状況に依存して、これは、ＬＴＥ及びＮＲにおいて同一のＤＬ／ＵＬパターンを必要としうる。そのような場合には、ＤＬヘビースロットの最後においてＤＬ ＨＡＲＱフィードバックを送信することはできない。ＵＬ伝送は、ＬＴＥ ＦＳ２における次のＵＬ機会まで遅らせられなければならない（図１７を参照）。
【０１５９】
図１７：ＬＴＥ ＴＤＤとの共存シナリオでは、ＤＬ ＨＡＲＱフィードバック伝送は、次のＬＴＥ ＦＳ２ ＵＬ機会まで遅らせられなければならない。
【０１６０】
見解２：ＬＴＥ ＴＤＤとの共存シナリオでは、ＤＬ ＨＡＲＱフィードバックは、次のＬＴＥ ＦＳ２ ＵＬ機会まで遅らせられなければならない。
【０１６１】
見解１で指摘したリンクバジェットの問題を解決するため、かつ、ＬＴＥ ＦＳ２との共存を解決するために、ＤＬヘビースロットの最後におけるＤＬ ＨＡＲＱフィードバック伝送に加えて、追加のＤＬ ＨＡＲＱフィードバック伝送方式が必要とされる。
【０１６２】
提案１：ＮＲは、ＬＴＥ ＰＵＣＣＨフォーマット１ａと同様のリンクバジェットを実現する、ＤＬ ＨＡＲＱフィードバック伝送方式をＵＬで提供しなければならない。
【０１６３】
提案２：ＮＲは、ＬＴＥ ＦＳ２との共存を可能にするＤＬ ＨＡＲＱフィードバック伝送方式を提供しなければならない。
【０１６４】
１つの可能性のあるメカニズムは、未解決のＤＬ ＨＡＲＱプロセス用のｇＮＢのポーリングフィードバックと、規則的なＵＬ伝送と同様にフィードバック伝送をスケジューリングすることとに依存することであろう。伝送時間を選択することによって、ｇＮＢは、ＬＴＥ  ＦＳ２とアラインされたＵＬ伝送を明らかに確保できる。適切なリンクバジェットを確保するために、フィードバック伝送は、スロットを超える必要がありうる（特に、スロットが７ＯＦＤＭシンボルである、又はｎ＞０のヌメロロジー用である場合）。しかし、同様に他の理由により、０においてＵＬにおける複数スロットのアグリゲーションを規定することを提案し、改善されたリンクバジェットでより長い伝送期間を可能にするために同一の原理がここでも適用されうる。
【０１６５】
結論
この見解では、ＬＴＥ ＰＵＣＣＨリンクバジェットに適合し、かつ、ＬＴＥ ＦＳ２との共存を可能にする、ＵＬにおけるＤＬ ＨＡＲＱフィードバック伝送方式を定義することを提案する。
【０１６６】
見解１：ＬＴＥ ＰＵＣＣＨリンクバジェットに適合するために、約１ｍｓの期間で、ＤＬ ＨＡＲＱフィードバックを送信可能であるべきである。 
【０１６７】
見解２：ＬＴＥ ＴＤＤとの共存シナリオでは、ＤＬ ＨＡＲＱフィードバックは、次のＬＴＥ ＦＳ２ ＵＬ機会まで遅らせられなければならない。
【０１６８】
提案１：ＮＲは、ＬＴＥ ＰＵＣＣＨフォーマット１ａと同様のリンクバジェットを実現する、ＤＬ ＨＡＲＱフィードバック伝送方式をＵＬで提供しなければならない。
【０１６９】
提案２：ＮＲは、ＬＴＥ ＦＳ２との共存を可能にするＤＬ ＨＡＲＱフィードバック伝送方式を提供しなければならない。
【０１７０】
参考文献
R1-167502, "On multi-subframe scheduling for uplink transmissions", Ericsson, RAN1#86, August 2016
【図１】
2019537291.tif 000004
【図２】
2019537291.tif 000005
【図３】
2019537291.tif 000006
【図４】
2019537291.tif 000007
【図５】
2019537291.tif 000008
【図６】
2019537291.tif 000009
【図７】
2019537291.tif 000010
【図８】
2019537291.tif 000011
【図９】
2019537291.tif 000012
【図１０】
2019537291.tif 000013
【図１１】
2019537291.tif 000014
【図１２】
2019537291.tif 000015
【図１３】
2019537291.tif 000016
【図１４】
2019537291.tif 000017
【図１５】
2019537291.tif 000018
【図１６】
2019537291.tif 000019
【図１７】
2019537291.tif 000020
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
無線通信ネットワーク（1）のためのノード（12; 20; 101; 111）であって、前記ノード（12; 20; 101; 111）は、第１の伝送の受信と、当該第１の伝送に応じた、その後の第２の伝送の送信とを行うように構成され、前記ノード（12; 20; 101; 111）は更に、選択された相対的タイミングを示す制御メッセージを、他のノードから受信し、前記第２の伝送を送信するための相対的タイミングを、複数の所定の相対的タイミングの選択肢から選択するための選択プロセス（S31; S42）を実行するように構成され、前記第２の伝送を送信するための前記相対的タイミングの前記選択は、前記受信された制御メッセージを考慮に入れる、ノード。
【請求項２】
請求項１に記載のノード（12; 20; 101; 111）であって、更に、前記複数の所定の相対的タイミングの選択肢のうちの１つ以上をサポートする、当該ノードの能力と関連付けられた情報を、他のノードへ送信するように構成された、ノード。
【請求項３】
無線通信ネットワーク（1）のためのノード（12; 20; 101; 111）であって、前記ノード（12; 20; 101; 111）は、第１の伝送の送信と、当該第１の伝送に応じた、その後の第２の伝送の受信とを行うように構成され、前記ノード（12; 20; 101; 111）は更に、前記第２の伝送を送信するための相対的タイミングを、複数の所定の相対的タイミングの選択肢から選択するための選択プロセス（S72）を実行し、前記選択された相対的タイミングを示す制御メッセージを他のノードへ送信する（S72）ように構成される、ノード。
【請求項４】
請求項３に記載のノード（12; 20; 101; 111）であって、更に、前記複数の所定の相対的タイミングの選択肢のうちの１つ以上をサポートする、他のノードの能力と関連付けられた情報を、当該他のノードから受信するように構成された、ノード。
【請求項５】
請求項２又は４に記載のノード（12; 20; 101; 111）であって、前記情報は、１つ以上のヌメロロジーに関する情報を含む、ノード。
【請求項６】
請求項１から５のいずれか１項に記載のノード（12; 20; 101; 111）であって、前記相対的タイミングは、所与の時間リソースの数を単位として表される、ノード。
【請求項７】
請求項６に記載のノード（12; 20; 101; 111）であって、前記時間リソースは、１つ以上のシンボルと１つ以上のスロットとを含む、ノード。
【請求項８】
請求項１から７のいずれか１項に記載のノード（12; 20; 101; 111）であって、前記選択プロセス（S31; S42; S72）は、前記ノード（12; 20; 101; 111）の１つ以上の通信条件と関連付けられた情報を考慮に入れるように構成される、ノード。
【請求項９】
請求項８に記載のノード（12; 20; 101; 111）であって、前記通信条件は、１つ以上の物理レイヤ設定のセットを含む、ノード。
【請求項１０】
請求項９に記載のノード（12; 20; 101; 111）であって、前記セットは少なくともヌメロロジーを含む、ノード。
【請求項１１】
請求項８から１０のいずれか１項に記載のノード（12; 20; 101; 111）であって、１つ以上の通信条件と関連付けられた前記情報は、到着時間、タイミングアドバンス、ラウンドトリップ遅延時間、参照信号の時間差、同期信号の時間差、Ｒｘ−Ｔｘ時間差、及び伝搬遅延、のうちの１つ以上を含む、ノード。
【請求項１２】
請求項１から１１のいずれか１項に記載のノード（12; 20; 101; 111）であって、前記制御メッセージは、無線リソース制御（ＲＲＣ）及び下りリンク制御情報（ＤＣＩ）制御メッセージシグナリングのうちの１つまたは両方を含む、ノード。
【請求項１３】
請求項１２に記載のノード（12; 20; 101; 111）であって、前記ＲＲＣ及びＤＣＩ制御メッセージシグナリングは、可能性のある相対的タイミングの選択肢のセットを設定するためのＲＲＣ制御メッセージと、前記設定されたセットから選択するためのＤＣＩ制御メッセージとを含む、ノード。
【請求項１４】
請求項１から１３のいずれか１項に記載のノード（12; 20; 101; 111）であって、前記第１の伝送は、スケジューリング情報を含む下りリンク伝送であり、前記第２の伝送は、前記スケジューリング情報で割り当てられたリソース上の、データを含む上りリンク伝送である、ノード。
【請求項１５】
請求項１４に記載のノード（12; 20; 101; 111）であって、前記第１の伝送は、物理下りリンク制御チャネル（ＰＤＣＣＨ）上で行われ、前記第２の伝送は、物理上りリンク共有チャネル（ＰＵＳＣＨ）上で行われる、ノード。
【請求項１６】
請求項１から１５のいずれか１項に記載のノード（12; 20; 101; 111）であって、前記第１の伝送は、データを含む下りリンク伝送であり、前記第２の伝送は、前記データの受信に関連するフィードバック情報を含む上りリンク伝送である、ノード。
【請求項１７】
請求項１６に記載のノード（12; 20; 101; 111）であって、前記第１の伝送は、物理下りリンク共有チャネル（ＰＤＳＣＨ）上で行われ、前記第２の伝送は、物理上りリンク制御チャネル（ＰＵＣＣＨ）上で行われる、ノード。
【請求項１８】
無線通信ネットワーク（1）のためのノード（12; 20; 101; 111）を動作させる方法（3; 4; 5; 6）であって、
選択された相対的タイミングを示す制御メッセージを、他のノードから受信すること（S61）と、
第１の伝送を受信すること（S41）と、
前記第１の伝送に応じて第２の伝送を送信するための相対的タイミングを選択すること（S42）と、ここで、前記相対的タイミングは、複数の所定の相対的タイミングの選択肢から選択され、前記第２の伝送を送信するための前記相対的タイミングの前記選択は、前記受信された制御メッセージを考慮に入れ、
前記選択された相対的タイミングに従って第２の伝送を送信すること（S43）とを含む、方法。
【請求項１９】
請求項１８に記載の方法であって、前記制御メッセージは、コマンドを含み、前記相対的タイミングの前記選択は、前記コマンドに従うことを含む、方法。
【請求項２０】
無線通信ネットワーク（1）のためのノード（12; 20; 101; 111）を動作させる方法（7）であって、
第１の伝送を他のノードへ送信すること（S71）と、
前記第１の伝送に応じた第２の伝送を受信すること（S73）とを含み、前記方法は更に、
前記第１の伝送に応じて前記第２の伝送を送信するための相対的タイミングを選択すること（S72）と、ここで、当該相対的タイミングは、複数の所定の相対的タイミングの選択肢から選択され、前記方法は更に、
前記第２の伝送を送信するための前記選択された相対的タイミングを示す制御メッセージを、前記他のノードへ送信することを含む、方法。
【請求項２１】
請求項２０に記載の方法であって、前記制御メッセージはコマンドを含む、方法。
【請求項２２】
請求項１８から２１のいずれか１項に記載の方法であって、前記相対的タイミングは、所与の時間リソースの数を単位として表される、方法。
【請求項２３】
請求項２２に記載の方法であって、前記時間リソースは、１つ以上のシンボルと１つ以上のスロットとを含む、方法。
【請求項２４】
請求項１８から２３のいずれか１項に記載の方法であって、前記制御メッセージは、無線リソース制御（ＲＲＣ）及び下りリンク制御情報（ＤＣＩ）制御メッセージシグナリングのうちの１つまたは両方を含む、方法。
【請求項２５】
請求項２４に記載の方法であって、前記ＲＲＣ及びＤＣＩ制御メッセージシグナリングは、可能性のある相対的タイミングの選択肢のセットを設定するためのＲＲＣ制御メッセージと、前記設定されたセットから選択するためのＤＣＩ制御メッセージとを含む、方法。
【請求項２６】
請求項１８から２５のいずれか１項に記載の方法であって、前記第１の伝送は、スケジューリング情報を含む下りリンク伝送であり、前記第２の伝送は、前記スケジューリング情報で割り当てられたリソース上の、データを含む上りリンク伝送である、方法。
【請求項２７】
請求項１８から２５のいずれか１項に記載の方法であって、前記第１の伝送は、データを含む下りリンク伝送であり、前記第２の伝送は、前記データの受信に関連するフィードバック情報を含む上りリンク伝送である、方法。
【請求項２８】
無線通信ネットワークのためのノード（12; 20; 101; 111）で実行されるように構成され、請求項１８から２７のいずれか１項に記載の方法（3; 4; 5; 6; 7）を実行するように構成されたコンピュータプログラム部を含む、コンピュータプログラム。
【請求項２９】
請求項２８に記載のコンピュータプログラムを含む、コンピュータプログラムメモリ。
【国際調査報告】
2019537291.tif 000021
2019537291.tif 000022
2019537291.tif 000023